(57)【要約】【課題】  夕焼けあるいは紅葉の景色などのオレンジないしレッド領域が大きく表れる画像において、より写実性が高く、鮮やかさ、透明感およびコントラストに優れ、かつ擬似輪郭や色トビの少ない、滑らかな画像を得ることができるようにする。【解決手段】  特定の色相角を有するイエローのインクとマゼンタのインクとの組み合わせによって形成されるオレンジないしレッドの明度よりも、第三のインクである特色インクによって形成されるオレンジないしレッドの明度を高くし、かつ、イエローのインクで表現される色とマゼンタのインクで表現される色との間の色相角差が適切な範囲であるようにする。【選択図】  図３
2005088581.tif 000002
【特許請求の範囲】
【請求項１】
少なくともイエローの記録剤、マゼンタの記録剤および第三の記録剤を用い、画素データに基づいて画像形成を行う画像形成方法であって、
ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色再現領域よりも明度が高く、かつ前記色再現領域内にある色相角を持ち、
前記イエローの記録剤で表現される色と前記マゼンタの記録剤で表現される色との前記色空間上の色相角差が６０〜１１３度である、
ことを特徴とする画像形成方法。
【請求項２】
前記第三の記録剤で記録媒体上に表現される色の前記色空間上の色相角が５０〜６５度であることを特徴とする請求項１に記載の画像形成方法。
【請求項３】
前記イエローの記録剤で記録媒体上に表現される色の前記色空間上の色相角が７０〜１００度であり、前記マゼンタの記録剤で記録媒体上に表現される色の前記色空間上の色相角が２５〜３０度であることを特徴とする請求項１または請求項２に記載の画像形成方法。
【請求項４】
前記イエローの記録剤で表現される色と前記第三の記録剤で表現される色との間の色相角が１０〜４５度で、かつマゼンタの記録剤で表現される色と第三の記録剤で表現される色との前記色空間上の色相角差が３５〜８５度であることを特徴とする請求項１ないし請求項３のいずれかに記載の画像形成方法。
【請求項５】
前記記録剤として、さらにシアンの記録剤を用いることを特徴とする請求項１ないし請求項４のいずれかに記載の画像形成方法。
【請求項６】
前記記録剤として、さらに第五および第六の記録剤のうち少なくとも一つを用い、
前記色空間上において、前記第五の記録剤で記録媒体上に表現される色は、前記イエローの記録剤と前記シアンの記録剤との組み合わせにより前記記録媒体上に表現される色再現領域よりも明度が高く、かつ当該色再現領域内にある色相角を持ち、
前記色空間上において、前記第六の記録剤で記録媒体上に表現される色は、前記マゼンタの記録剤と前記シアンの記録剤との組み合わせにより前記記録媒体上に表現される色再現領域よりも明度が高く、かつ当該色再現領域内にある色相角を持つことを特徴とする請求項５に記載の画像形成方法。
【請求項７】
前記記録剤としてインクを用い、前記記録媒体に前記インクのドットを形成することで画像形成を行うことを特徴とする請求項１ないし請求項６のいずれかに記載の画像形成方法。
【請求項８】
イエローとマゼンタの色域内の色に対応した画素データを出力する場合、第三のインクのデータに加え、イエロー及びマゼンタの少なくとも一方のデータを含む画素データにすることを特徴とする請求項１ないし請求項７のいずれかに記載の画像形成方法。
【請求項９】
少なくともイエローの記録剤、マゼンタの記録剤および第三の記録剤を用い、画素データに基づいて画像形成を行う画像形成装置であって、
ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色再現領域よりも明度が高く、かつ前記色再現領域内にある色相角を持ち、
前記イエローの記録剤で表現される色と前記マゼンタの記録剤で表現される色との前記色空間上の色相角差が６０〜１１３度である、
ことを特徴とする画像形成装置。
【請求項１０】
少なくともイエローのインク、マゼンタのインクおよび第三のインクからなるインクセットであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色再現領域よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とするインクセット。
【請求項１１】
少なくともイエローのインク、マゼンタのインクとともに用いられる第三のインクであって、
ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色再現領域よりも明度が高く、かつ前記色再現領域内にある色相角を持ち、
前記イエローのインクで表現される色と前記マゼンタのインクで表現される色との前記色空間上の色相角差が６０〜１１３度である、
ことを特徴とするインク。
【発明の詳細な説明】
【技術分野】
【０００１】
本発明は、画像形成方法、画像形成装置、インクセットおよびインクに関し、詳しくは、鮮やかで、コントラスト、透明感および立体感が高く、かつ色の変化が滑らかに表現された画像を記録媒体上で得ることのできるようにするための画像形成方法、画像形成装置、インクセットおよびインクに関するものである。
【背景技術】
【０００２】
従来より、フルカラーの画像を形成する方法として、オフセット印刷、グラビア印刷、電子写真印刷、インクジェット記録方法などが広く用いられている。これらの画像形成方法のうち、インクジェット記録方法は、低騒音であること、製造コストが低廉であること、装置を小型に構成できること、記録画像のカラー化が容易であること等の理由から、パーソナルユースやオフィスユースのプリンタ、ファクシミリ、複写機等に広く利用されている。
【０００３】
これらの画像形成方法の多くは、フルカラーの画像を形成する際、減法混色に基づき画像が形成されるため、印刷の三原色であるイエロー、マゼンタおよびシアンを用いた色再現が行われている。また、これら三原色のインクに加えブラックのインクを用いる一方、イエロー、マゼンタおよびシアン各色のデータＹ、ＭおよびＣから黒成分Ｋを抽出してブラックに置き換え、さらには置き換えた分のＣ，Ｍ，Ｙの色成分を除去するＵＣＲ処理を行うことにより、コントラスト性の向上ないし中性色の安定再現を図るものものある。これらにより、例えばイエローとマゼンタとの混色によりオレンジないしレッド領域、イエローとシアンとの混色によりグリーン領域、マゼンタとシアンとの混色によりブルーないしバイオレット領域の画像を形成することが可能となり、色相の全領域を表現することができる。
【０００４】
また、フルカラー印刷技術には、自然画の再現など、広い色再現領域をもつ印刷法が求められている。そのため、基本三原色であるイエロー、マゼンタおよびシアンの記録剤に用いる色材について、発色性の良好なものが広く提案されている。しかし、三原色で色相の全領域を表現しようとすると、発色性の良好な三原色を用いた場合であっても、三原色の混色によって表現される色領域において、彩度が十分でなく、表現できる色再現領域が不十分となる場合がある。そこで、上記イエロー、マゼンタおよびシアンに加え、色相空間においてそれぞれの中間の色相角を持つ色（以下、特色という）、例えばレッド、グリーンおよびブルーの記録剤などを用いて画像形成を行う方法が提案されている。
【０００５】
例えば、特許文献１では、特定色相角の基本三原色のインクと、レッドおよびブルーのインクとを含むインクセットが開示されている。そして、レッドおよびブルーのインクとしてそれぞれマゼンタおよびシアンのインクより明度が低いものを用いることによって、色域拡大と粒状性や光沢性の改善を図っている。
【０００６】
特許文献２では、特定の染料を含むマゼンタインクを用いた基本三原色のインクとオレンジ、グリーンおよびバイオレットのインクのいずれかを含むインクセットが開示され、同様に特色の追加により色域拡大を図っている。
【０００７】
特許文献３では、イエロー、マゼンタおよびシアンの三原色のインクにレッド、グリーンおよびブルーのインクを加えたインクジェット印刷方法が開示され、具体的にはこれら各色インクに建染染料を用いた印刷方法が開示されている。この特許文献も同様に色域拡大と共に中間色を色相の近い基本色と特色で表現することで、基本色だけで中間色を表現する場合に対して粒状性を低減しカラーの階調性の改善を図っている。
【０００８】
しかし記録装置、中でもインクジェット記録方法を用いる記録装置の、パーソナルユーザに至るまでの広範な普及は一層の画質向上の要望を生み出している。より一層の画質向上とは、究極的には、自然界において人間が視覚で認識可能な色の範囲にプリンタでの色再現域を近づけて行こうとする試みにほかならない。しかしこれは、色相空間上、印刷の三原色の中間領域の角度をもつような特色（例えばレッド、オレンジ、グリーン、ブルー、バイオレット等）を単に追加することで足りるものではない。
【０００９】
例えば、上記いずれの文献においても、色相空間上、イエローとマゼンタとの中間領域にある特色（レッドもしくはオレンジ）のインクを加えただけの画像形成方法では、ＣＩＥ（国際照明委員会）−Ｌ＊ａ＊ｂ＊のａ＊ｂ＊平面上でオレンジないしレッド領域の色再現領域を拡大する効果はあるものの、画像の色鮮やかさや立体感、透明感を表現するには不十分である。
【００１０】
また、特許文献１などのように基本三原色に特色を加えて画像表現を行う場合、粒状感は低減しても、色が画像内で変化する中でインク色の切り替えが多くなるために起こる擬似輪郭やいわゆる「色トビ」の発生を抑制するには不十分であり、結果的に自然画を滑らかに表現しつつ、色再現領域を拡大した画像を形成することができていないのが現状である。特に、夕焼けあるいは紅葉の景色などの画像を美しく再現するためには、色再現領域が広いだけでなく、オレンジないしレッド領域における画像の鮮やかさ、透明感、コントラストの向上と共に、画像内で連続的に色が変化する際に生じる擬似輪郭や色トビなどを極力低減し、滑らかに色をつなげて表現するための画像形成方法が求められることになるが、未だ十分に満足できる結果が得られていないのである。
【００１１】
そこで本発明者らは、一層の画質向上を図る上で、基本三原色との関連において適切な特性を有する特色記録剤の選定等を行うべきであることを認識した。またこれとともに、そのための一つの指針として、銀塩写真のポジティブフィルムに形成された画像があることを見出した。これは、ポジティブフィルムに形成された画像の裏から光を透過させることで人の視覚に作用する透過画像であるために、写実性、鮮やかさ、透明感、コントラスト、立体感に優れた画像が知覚されるものと考えられるのである。そして、透過画像と同等の画質を反射画像で実現することが、画質をより一層向上する上で有効であると考えた。
【００１２】
まず、本発明者らは、風景や植物、人物、コンピュータグラフィクス（ＣＧ）などの様々な画像について、ポジティブフィルムに形成した画像と、現在のところ最も色再現領域の広いプリンタで形成した画像との比較を行った。その一例を次に説明する。
【００１３】
図１は、インクジェット記録装置およびポジティブフィルムのＧａｍｕｔをＣＩＥ−Ｌ＊ａ＊ｂ＊のａ＊ｂ＊平面上にプロットした図である。同図において、実線で囲みソリッドで示されたものがインクジェットプリンタのＧａｍｕｔであり、ポイントで示されたものがポジティブフィルムのＧａｍｕｔを示している。同図から明らかなように、ＹからＲの領域、Ｇ領域、そして、Ｂの領域において、ポジティブフィルムのＧａｍｕｔがインクジェットプリンタのＧａｍｕｔより大きくなっていることがわかる。
【００１４】
図２（ａ）および（ｂ）は、図１のＧａｍｕｔデータの算出態様を説明するための図である。同図（ａ）において、ポジティブフィルムのＧａｍｕｔデータは、山岳写真（夕日）、風景（海、山）、花、魚類、鳥類、蝶類、民族衣装、そしてＣＧの８カテゴリから計８４点のポジティブフィルムをスキャンして得られたデータである。ここで、スキャナとしてHidelberg社製のNexscan F4200を用い、使用した色空間はWide Gamut RGBである。Wide Gamut RGBとは、白色点がＤ５０で、ＲＧＢ三原色のｘｙ色度座標の値は、Ｒが（０．７３，０．２７）、Ｇが（０．１２，０．８３）、Ｂが（０．１６，０．０２）である。このWide Gamut RGＢからＸＹＺへの変換式は、
Ｘ＝0.7165×Ｒ＋0.1010×Ｇ＋0.1468×Ｂ
Ｙ＝0.2587×Ｒ＋0.7247×Ｇ＋0.0166×Ｂ
Ｚ＝0.0000×Ｒ＋0.0512×Ｇ＋0.7739×Ｂ
である。このＸＹＺからＬ＊ａ＊ｂ＊への変換式は、ＣＩＥで規定されているものを用いた。
【００１５】
また、同図（ｂ）のインクジェット記録装置のＧａｍｕｔデータの算出にあたっては、記録装置としてキヤノン（株）社製PIXUS 950iを用いて同社製の記録紙PR101にカラーパッチを印刷したものを、Gretag Macbeth社製Spectrolinoを用いて測色した。なお、ここに使用したプリンタは、イエロー、マゼンタ、シアンおよびブラックにライトシアンおよびライトマゼンタを加えて画像形成を行うものであり、そのＧａｍｕｔは上記図２（ａ）に示したいわゆる銀塩写真のポジティブフィルムから得た記録物のＧａｍｕｔより小さい。
【００１６】
【特許文献１】国際公開第０２／１００９５９号パンフレット
【特許文献２】特開２００３−３４７６５号公報
【特許文献３】特開２００２−２４１６６１号公報
【特許文献４】国際公開第９９／４３７５４号パンフレット
【特許文献５】国際公開第０２／０８１５８０号パンフレット
【特許文献６】特開２００３−４９１００号公報
【特許文献７】特開２００２−３７１２１４号公報
【特許文献８】特開２００２−３０９１３３号公報
【特許文献９】特開２００２−３０９１１６号公報
【特許文献１０】特開２００２−３０９１１５号公報
【特許文献１１】特開２００２−３２７１３２号公報
【特許文献１２】特開２００２−３０２６２３号公報
【特許文献１３】特開２００２−２９４０９７号公報
【特許文献１４】国際公開第０２／０８８２５６号パンフレット
【特許文献１５】国際公開第００／４３４５１号パンフレット
【発明の開示】
【発明が解決しようとする課題】
【００１７】
この解析結果より、ポジティブフィルム画像から人間が視覚を通じて心理的に受ける色鮮やかな発色特性は、特定の色相方向の色で、かつ明度が高いことが大きく寄与していることがわかった。中でも、夕焼けあるいは紅葉の景色などのオレンジないしレッド領域が大きく表れる画像において、ポジティブフィルムの画像に匹敵する色鮮やかな記録画像を得る上では、まず第１の条件としてイエローおよびマゼンタのインクで表現される色再現領域よりも明度が高い色を表現できる第三のインクを特色のインクとして、イエローおよびマゼンタのインクと共に用いて画像形成を行うべきであると認識した。
【００１８】
一方、基本色のイエローおよびマゼンタのインクのみを用いてそれらの中間領域を表現する場合、明度を十分にするべく、極めて明度の高いイエローインクとマゼンタインクを用い、かつそれぞれの色相角を目標の色相に向けて近づけることも考えられる。しかしこの場合、イエローとマゼンタとの間の色相角を狭めると、基本色であるイエローやマゼンタを十分に表現できなくなる。すなわち、目的とするオレンジないしレッド間の狭い領域の色は表現できても、基本色であるイエローおよびマゼンタと他色とのバランスが崩れてしまうことにより、本来表現できていたオレンジないしレッド領域の色も十分に表現できなくなる。そのため、他の色相との色のつながりを表現することが困難となり、結果的には色再現領域自体も狭くなってしまうことになる。
【００１９】
よって本発明者らは、第２の条件として、第三のインクである特色のインクの能力を十分に生かし、かつイエローないしマゼンタ領域にかけて他の色相の色とのバランスを保ちつつ、色の変化によって生じる擬似輪郭や色トビの少ない画像を形成するためには、イエローとマゼンタとの間の色相角が適切な範囲であるべきであると認識した。
【００２０】
すなわち、本発明者らは、これら第１および第２の条件を満たすイエロー、マゼンタおよび特色の記録剤を用い、画素データに基づいて画像形成を行うことにより、ポジティブフィルムに匹敵する画質を達成することができるとの知見を得て、本発明に至ったのである。
【００２１】
本発明の目的は、より写実性が高く、鮮やかさ、透明感およびコントラストに優れ、かつ擬似輪郭や色トビの少ない、滑らかな画像を得ることができる画像形成方法、画像形成装置、インクセットおよびインクを提供することにある。
【課題を解決するための手段】
【００２２】
本発明は、少なくともイエローの記録剤、マゼンタの記録剤および第三の記録剤を用い、画素データに基づいて画像形成を行う画像形成方法または画像形成装置であって、ＣＩＥ−Ｌ＊ａ＊ｂ＊の色空間上において、前記第三の記録剤で記録媒体上に表現される色は、前記イエローの記録剤と前記マゼンタの記録剤との組み合わせにより前記記録媒体上に表現される色再現領域よりも明度が高く、かつ前記色再現領域内にある色相角を持ち、前記イエローの記録剤で表現される色と前記マゼンタの記録剤で表現される色との前記色空間上の色相角差が６０〜１１３度である、ことを特徴とする。
【００２３】
また、本発明は、少なくともイエローのインク、マゼンタのインクおよび第三のインクからなるインクセットであって、ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色再現領域よりも明度が高く、かつ前記色再現領域内にある色相角を持ち、前記イエローのインクで表現される色と前記マゼンタのインクで表現される色との前記色空間上の色相角差が６０〜１１３度である、ことを特徴とする。
【００２４】
さらに、本発明は、少なくともイエローのインク、マゼンタのインクとともに用いられる第三のインクであって、ＣＩＥ−Ｌ＊ａ＊ｂ＊の色空間上において、前記第三のインクで記録媒体上に表現される色は、前記イエローのインクと前記マゼンタのインクとの組み合わせにより前記記録媒体上に表現される色再現領域よりも明度が高く、かつ前記色再現領域内にある色相角を持ち、前記イエローのインクで表現される色と前記マゼンタのインクで表現される色との前記色空間上の色相角差が６０〜１１３度である、ことを特徴とする。
【発明の効果】
【００２５】
本発明によれば、特定の色相角を有するイエローの記録剤とマゼンタの記録剤との組み合わせによって形成されるオレンジないしレッドの明度よりも、第三の記録剤である特色記録剤によって形成されるオレンジないしレッドの明度を高くし、かつ、イエローの記録剤で表現される色とマゼンタの記録剤で表現される色との間の色相角差が適切な範囲であるようにすることにより、より写実性が高く、鮮やかさ、透明感およびコントラストに優れ、かつ擬似輪郭や色トビの少ない、滑らかな画像を得ることができるようになる。
【発明を実施するための最良の形態】
【００２６】
以下、本発明を詳細に説明する。
【００２７】
（画像形成の概要）
本実施形態の画像形成方法は、少なくともイエロー、マゼンタ、および、色相空間上それらの中間領域の角度をもつ第三の記録剤を用いるものであるが、まずその前提として、下記条件を満たした各色記録剤等を選定した上で画像形成を行うことに特徴がある。すなわち、
条件１：ＣＩＥ−Ｌ＊ａ＊ｂ＊色空間において、第三のインクで記録媒体上に表現される色が、イエローインクとマゼンタインクとの組み合わせにより記録媒体上に表現される色再現領域よりも明度が高く、かつ第三のインクで記録媒体上に表現される色の色相角が、前記色再現領域内にある色であること、および
条件２：ＣＩＥ−Ｌ＊ａ＊ｂ＊のａ＊ｂ＊平面において、イエローインクで表現される色とマゼンタインクで表現される色との間の色相角が６０〜１１３度であること、
である。
【００２８】
本発明に用いられる画像形成方法としては、オフセット印刷方法、グラビア印刷方法、電子写真印刷方法、インクジェット記録方法など、従来から一般に用いられている方法を用いることができる。ここでは、上記本発明の構成要件ないし条件を詳しく説明するにあたり、本発明に好ましく適用できる画像形成方法としてインクジェット記録方法について例示する。インクジェット記録方法では、記録媒体上で基本色であるイエローおよびマゼンタのインクと、第三のインクとを任意の割合で組み合わせることにより、イエロー〜オレンジ〜レッド〜マゼンタまで連続的な色相を持つ画像を記録媒体上に形成することができ、好ましい記録技術であるからである。
【００２９】
上記条件１および２は、前述のように、色鮮やかで、透明感および立体感に優れる画像を、擬似輪郭や色トビを抑制しながら滑らかに形成するために有効であり、これらの条件は相互に関連している。
【００３０】
まず、条件１について述べる。
【００３１】
図３は、ＣＩＥ−Ｌ＊ａ＊ｂ＊のａ＊ｂ＊平面においてイエロー、マゼンタおよび第三のインクの色再現領域と、ポジティブフィルム画像の色再現領域との関係を模式的に示した図である。ここで、実線で囲んだ範囲がイエロー、マゼンタおよび第三のインクで表現される色再現領域、破線で囲んだ範囲がイエローおよびマゼンタのインクのみで表現される色再現領域、ポイント（×）で示されたものがポジティブフィルムから得たデータである。
【００３２】
この図３から明らかなように、前述したポジティブフィルム画像に匹敵する画像を出力するためには、オレンジないしレッド領域の色相の色を出力することが強く好ましいが、イエローインクおよびマゼンタインクのみでは十分にこれらの色を表現することは困難である。従って、条件１として挙げたように、イエローインクおよびマゼンタインクで表現される色相の間の領域を表現できる第三のインクを用いるのである。
【００３３】
本発明においては、さらに、ポジティブフィルムに匹敵する画像をより一層効果的に出力するために、当該第三のインクの色相角がａ＊ｂ＊平面において５０〜６５度であると好ましい。この範囲内であると、自然画での紅葉や夕日が特に美しく表現されるために好ましいのである。
【００３４】
図４は、この条件を説明するために特色である当該レッド、イエローとマゼンタとの混色で形成される色、および、ポジティブフィルムで表現される色の、明度（Ｌ＊）と彩度（ｃ＊；ｃ＊＝（ａ＊２＋ｂ＊２）１／２）との関係を模式的に示した図である。図において、実線で囲んだ範囲がイエロー、マゼンタおよび第三のインクで表現される再現領域、破線で囲んだ範囲がイエローおよびマゼンタのインクのみで表現される再現領域、ポイント（×）で示されたものがポジティブフィルムから得たデータである。このように、明度の高い色を表現できるインクを用いることにより、オレンジないしレッド領域での色の鮮やかさが増し、記録画像の透明感や立体感を表現できるようになる。一方、明度が低い場合には、たとえオレンジないしレッド領域の彩度が広がったとしても、鮮やかさに欠け、コントラストや立体感に欠ける記録画像しか得られず、目標とするポジティブフィルムに匹敵する画像を出力することは困難となる。
【００３５】
このように特色のインクで表現される色が特定の色相範囲であって、かつ高明度な色を表現できることで、ポジティブフィルムのように色鮮やかで透明感や立体感に優れた画像を出力することが可能となる。さらに、第三のインクで表現される色の彩度が、イエローインクとマゼンタインクとの組み合わせにより表現される色の彩度より大きい場合は、さらに好ましい形態となる。
【００３６】
次に条件２について述べる。  
イエローインクで表現される色とマゼンタインクで表現される色との間の色相角（以下、θy-mと表す）がａ＊ｂ＊平面において６０〜１１３度であると、上記第三のインクで表現される色の色相とのバランスが好ましく、上記第三のインクで表現される色とイエローおよびマゼンタインクで表現される色との色差が適度になるために、色再現領域を効果的に拡張し、かつ連続的に変化する色のつながりを滑らかに表現できる。
【００３７】
これに対し、θy-mが６０度未満の場合はイエローまたはマゼンタの色相の表現が十分でなくなり、オレンジないしレッドの領域だけが広がるために、他の色相とのバランスが低下する。そのため、第三のインクを用いてオレンジ〜レッド領域の色域を十分に広げることが困難となり、結果として全体の色再現領域が狭くなる。一方、１１３度を超える場合は、イエローおよびマゼンタにより表現される色再現範囲が狭まり、第三のインクとの混色部で連続的に色を表現することが困難となり、擬似輪郭や色トビが発生しやすくなる。そのため第三のインクの優れた発色特性を十分に使うことが困難となり、結果として写真画像のような自然画を出力する際に、イエローないしマゼンタ領域の色再現領域が低下する。よってθy-mが上記範囲を逸脱すると、目標とするポジティブフィルムに匹敵する画像を出力することは困難となる。
【００３８】
さらに好ましい形態は、ａ＊ｂ＊平面において、イエローインクで表現される色と第三のインクで表現される色との間の色相角（以下、θy-rと表す）が１０〜４５度であり、かつマゼンタインクで表現される色と第三のインクで表現される色との間の色相角（以下、θm-rと表す）が３５〜８５度である。θy-rおよびθm-rがこれらの範囲であることにより、第三のインクを用いてイエローないしマゼンタまでの色再現領域を効果的に広げ、連続的に変化する色のつながりを滑らかに表現できる。
【００３９】
また、本発明においては、ａ＊ｂ＊平面において、第三のインクで表現される色の色相角が５０〜６５度であることが好ましい。第三のインクがこの範囲であることによってより一層オレンジからレッド領域の色再現性が向上すると共に、より高いレベルでイエローからマゼンタまでの色のつながりも滑らかに表現ができるようになる。
【００４０】
なお、本発明においては、イエローインクで表現される色の色相角が７０〜１００度であることが好ましく、特には７５〜９５度であることが好ましい。また、マゼンタインクで表現される色の色相角は２５〜３３０度であることが好ましく、特には２０〜３４０度であることが好ましい。
【００４１】
本発明においては、基本色としてさらにシアンインクを用いた場合、シアンないしイエロー領域やシアンないしマゼンタ領域の色再現領域と、イエローないしマゼンタ領域の色再現領域とのバランスも好ましくなり、結果として第三のインクを用いてイエローないしマゼンタ領域を効果的に広げることが可能となる。従って、全色相領域で色再現領域を広げることが可能となる。
【００４２】
また、イエローインクで表現される色の明度(Ｌ＊)が６０以上で、彩度（ｃ＊＝（ａ＊２＋ｂ＊２）１／２）が８０以上、マゼンタインクで表現される色の明度(Ｌ＊)が３５以上で、彩度（ｃ＊＝（ａ＊２＋ｂ＊２）１／２）が７０以上である場合、色再現領域がより一層広がると共に、擬似輪郭や色トビもより一層抑制され、滑らかで美しい画像を形成することができ、好ましい。
【００４３】
なお、本発明における各色インクの色相角や彩度、明度はいずれも記録媒体上に単位面積あたりのインク付与量が、平方インチ（参考値）あたり７．２±１．２ｍｇのときの色を表す。
【００４４】
また、本発明の実施形態として、イエローインク、マゼンタインク、第三のインク以外に、フルカラーの画像を得るために、例えばシアンインク、ブラックインクなど別の色相を持つ基本色のインクを追加することは、全色相の色再現範囲を広げるのに効果的であるため好ましい形態である。
【００４５】
また、各インクと同一色調の淡インクを組み合わせて用いる画像形成方法の場合、中間調の粒状性や連続的な色の表現がさらに向上するために好ましく用いることができる。
【００４６】
更に、本発明においては、新緑あるいは竹林の景色などの画像についてもポジティブフィルムの画像に匹敵する色鮮やかな記録を行うために、グリーンの色相を有し、かつ明度の高い画像を形成できることが好ましい。また、青空あるいは海の景色などの画像についてもポジティブフィルムの画像に匹敵する色鮮やかな記録を行うために、ブルーないしバイオレットの色相を有し、かつ明度の高い画像を形成できることが好ましい。
【００４７】
そのためには、上記の第１および第２の条件に加え、第３の条件としてイエローおよびシアンのインクで表現される色再現領域よりも明度が高い色を表現できる第五のインクを、さらに第４の条件としてマゼンタとシアンのインクで表現される色再現領域よりも明度が高い色を表現できる第六のインクを、それぞれイエロー、マゼンタおよびシアンのインクと共に用いて画像形成を行うことが好ましい。
【００４８】
より具体的には、以下の通りである。
【００４９】
条件３：ＣＩＥ−Ｌ＊ａ＊ｂ＊色空間において、第五の記録剤で記録媒体上に表現される色が、イエロー記録剤とシアン記録剤との組み合わせにより記録媒体上に表現される色再現領域よりも明度が高く、かつ第五の記録剤で記録媒体上に表現される色の色相角が、当該色再現領域内にある色であること。
【００５０】
条件４：ＣＩＥ−Ｌ＊ａ＊ｂ＊色空間において、第六の記録剤で記録媒体上に表現される色が、マゼンタ記録剤とシアン記録剤との組み合わせにより記録媒体上に表現される色再現領域よりも明度が高く、かつ第六の記録剤で記録媒体上に表現される色の色相角が、当該色再現領域内にある色であること。
【００５１】
本発明においては、シアンインクで表現される色の色相角が２２０〜２６０度であることが好ましく、特には２３０〜２５０度であることが好ましい。また、第五のインクで表現される色の色相角は１００〜２２０度であることが好ましく、特には１１０〜２１０度であることが好ましい。さらに、第六のインク表現される色の色相角は２６０〜３３０度であることが好ましく、特には２７０〜３２０度であることが好ましい。
【００５２】
なお、これらのインクの色相角や彩度、明度も、上記と同様、記録媒体上に単位面積あたりのインク付与量が、平方インチ（参考値）あたり７．２±１．２ｍｇのときの色を表す。
【００５３】
以下においては、本発明の適用対象として、基本色であるシアン、マゼンタおよびイエローに加え、ブラック、第三のインクとして特色であるレッド、さらには淡シアンおよび淡マゼンタの７色のインクを用いるプリントシステムについて例示する。
【００５４】
（プリントシステム概要）
図５は、本発明の適用対象の一例であるプリントシステムの構成を示すブロック図である。本実施形態の画像形成装置は、上記７色のインクによって印刷を行うものであり、そのためにこれら７色のインクを吐出する記録ヘッドが用いられる。図５に示すように、本実施形態のプリントシステムは、画像形成装置としての記録装置とホスト装置としてのパーソナルコンピュータ(ＰＣ)を有して構成されるものである。
【００５５】
ホスト装置のオペレーティングシステムで動作するプログラムとしてアプリケーションやプリンタドライバがある。アプリケーションＪ０００１はプリンタで印刷する画像データを作成する処理を実行する。この画像データもしくはその編集等がなされる前のデータは種々の媒体を介してＰＣに取り込むことができる。本実施形態のＰＣは、先ずデジタルカメラで撮像した例えばＪＰＥＧ形式の画像データをコンパクトフラッシュ（登録商標）カード（ＣＦカード）によって取り込むことができる。また、スキャナで読み取った例えばＴＩＦＦ形式の画像データやＣＤ−ＲＯＭに格納される画像データをも取り込むことができる。さらには、インターネットを介してウエブ上のデータを取り込むことができる。これらの取り込まれたデータは、ＰＣのモニタに表示されてアプリケーションＪ０００１を介した編集、加工等がなされ、例えばｓＲＧＢ規格の画像データＲ、Ｇ、Ｂが作成される。そして、印刷の指示に応じてこの画像データがプリンタドライバに渡される。
【００５６】
本実施形態のプリンタドライバはその処理として、前段処理Ｊ０００２、後段処理Ｊ０００３、γ補正Ｊ０００４、ハーフトーニングＪ０００５、および印刷データ作成Ｊ０００６を有している。前段処理Ｊ０００２は色域(Ｇａｍｕｔ)のマッピングを行う。本実施形態の前段処理Ｊ０００２は、ｓＲＧＢ規格の画像データＲ、Ｇ、Ｂによって再現される色域を、本プリントシステムのプリンタによって再現される色域内に写像する関係を内容とする３次元ＬＵＴを用い、これに補間演算を併用して８ビットの画像データＲ、Ｇ、Ｂをプリンタの色域内のデータＲ、Ｇ、Ｂに変換するデータ変換を行う。後段処理Ｊ０００３は、上記色域のマッピングがなされたデータＲ、Ｇ、Ｂに基づき、このデータが表す色を再現するインクの組み合わせ、すなわちイエロー、マゼンタ、シアン、ブラック、レッド、淡シアンおよび淡マゼンタに対応した色分解データＹ、Ｍ、Ｃ、Ｋ、Ｒ、ＬｃおよびＬｍを求める処理を行う。本実施形態では、この処理は前段処理と同様３次元ＬＵＴに補間演算を併用して行う。γ補正Ｊ０００４は、後段処理Ｊ０００３によって求められた色分解データの各色のデータごとにその階調値変換を行う。具体的には、本システムで用いるプリンタの各色インクの階調特性に応じた１次元ＬＵＴを用いることにより、上記色分解データがプリンタの階調特性に線形的に対応づけられるような変換を行う。ハーフトーニングＪ０００５は、８ビットの色分解データＹ、Ｍ、Ｃ、Ｋ、Ｒ、ＬｃおよびＬｍそれぞれについて４ビットのデータに変換する量子化を行う。本実施形態では、誤差拡散法を用いて８ビットデータを４ビットデータに変換する。この４ビットデータは、記録装置におけるドット配置のパターン化処理における配置パターンを示すためのインデックスとなるデータである。最後に、印刷データ作成処理Ｊ０００６によって、上記４ビットのインデックスデータを内容とする印刷イメージデータに印刷制御情報を加えた印刷データを作成する。なお、上述したアプリケーションおよびプリンタドライバの処理は、それらのプログラムに従ってＣＰＵにより行われる。その際、プログラムはＲＯＭもしくはハードディスクから読み出されて用いられ、また、その処理実行に際してＲＡＭがワークエリアとして用いられる。
【００５７】
記録装置は、データ処理に関してドット配置パターン化処理Ｊ０００７およびマスクデータ変換処理Ｊ０００８を行う。ドット配置パターン化処理Ｊ０００７は、実際の印刷画像に対応する画素ごとに、印刷イメージデータである４ビットのインデックスデータ（階調値情報）に対応したドット配置パターンに従ってドット配置を行う。このように、４ビットデータで表現される各画素に対し、その画素の階調値に対応したドット配置パターンを割当てることで、画素内の複数のエリア各々にドットのオン・オフが定義され、そして１画素内の各エリアごとに「１」または「０」の吐出データが配置される。このようにして得られる１ビットの吐出データはマスクデータ変換処理Ｊ０００８によってマスク処理がなされる。すなわち、記録ヘッドによる所定幅の走査領域の記録を複数回の走査で完成するための各走査の吐出データを、それぞれの走査に対応したマスクを用いた処理によって生成する。走査ごとの吐出データＹ、Ｍ、Ｃ、Ｋ、Ｒ、ＬｃおよびＬｍは、適切なタイミングでヘッド駆動回路Ｊ０００９に送られ、これにより、記録へッドＪ００１０が駆動されて吐出データに従ってそれぞれのインクが吐出される。なお、記録装置における上述のドット配置パターン化処理やマスクデータ変換処理は、それらに専用のハードウエア回路を用い記録装置の制御部を構成するＣＰＵの制御の下に実行される。なお、これらの処理がプログラムに従ってＣＰＵにより行われてもよく、また、上記処理がＰＣにおける例えばプリンタドライバによって実行されるものでもよく、本発明を適用する上でこれら処理の形態が問われないことは以下の説明からも明らかである。
【００５８】
以上説明した本実施形態のプリンタは、第三のインクとして特色のレッドを用いるものであり、この特色インクは、基本色インクであるイエローとマゼンタとの混色で作られる２次色の同じ色相の色よりも明度が高い色を表現できるものである。すなわち、本発明で好適に用いられる「特色」とは、ＣＩＥ−Ｌ＊ａ＊ｂ＊色空間において、マゼンタおよびイエローの記録剤のうちの任意の２つの記録剤の組み合わせにより記録媒体上に表現される色再現領域よりも高い明度の色であって、かつそれら２つの記録剤の組み合わせにより表現される色再現領域内の色相角を示す色のことを指す。さらに、上記色再現領域よりも高い彩度を表現できる色であればより一層好ましい。
【００５９】
第五の色材としてグリーンを用い、第六の色材としてブルーを用いる場合は、上記のイエロー、マゼンタ、シアン、ブラック、レッド、淡シアンおよび淡マゼンタが、イエロー、マゼンタ、シアン、ブラック、レッド、ブルーおよびグリーンになり、これらに対応する色分解データがＹ、Ｍ、Ｃ、Ｋ、Ｒ、ＧおよびＢになるだけで、同様のことがいえる。
【００６０】
本実施形態のプリンタは、特色の例としてレッド、グリーンおよびブルーを用いるものであり、これら基本色インクであるイエロー、マゼンタ、シアンのうちの２つの混色で作られる２次色の同じ色相の色よりも明度が高い色を表現できるものである。すなわち、本発明において好適に用いられる「特色」とは、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度の色であって、かつ上記任意の２つの記録剤の組み合わせにより表現される色再現領域内の色相角を示す色のことを指す。さらに、上記色再現領域よりも高い彩度を表現できる色であればより一層好ましい。
【００６１】
なお、本実施形態では、記録剤としてインクを用いる画像形成装置について説明するが、オフセット印刷方法、グラビア印刷方法、電子写真印刷方法などによる画像形成装置、例えばトナーなどの他の記録剤を用いるプリンタ、複写機などに対してもインクに固有の説明を除いて本発明を適用できることは明らかである。
【００６２】
また、本明細書では、記録剤であるインクについてはシアン、マゼンタ、イエロー、ブラックなど片仮名表記で表し、色もしくはそのデータ、また色相をＣ、Ｍ、Ｙ、Ｋ、Ｒ、Ｇなど英大文字の１字もしくはそれと英小文字１字との組み合わせで表すものとする。すなわち、Ｃはシアン色またはそのデータないし色相を、Ｍはマゼンタ色またはそのデータないし色相を、Ｙはイエロー色またはそのデータないし色相を、Ｋはブラック色またはそのデータないし色相を、Ｒはレッド色またはそのデータないし色相を、Ｌｃは淡シアン色またはそのデータないし色相を、Ｌｍは淡マゼンタ色またはそのデータないし色相を、Ｇは第五の色またはそのデータないし色相を、Ｂは第六の色またはそのデータないし色相を、それぞれ表すものとする。
【００６３】
以上のプリントシステムの構成において、より効果的に色再現範囲を広げ、また、連続的な色の表現力を向上させるために、第三の記録剤（インク）を用いる場合、第三のインクが付与される画素に、イエローおよび／またはマゼンタの記録剤（インク）が付与されるように処理を行うことが好ましい。つまり、イエローとマゼンタの色域内の色に対応した画素データを出力する場合、第三のインクのデータに加え、イエロー及びマゼンタの少なくとも一方のデータを含む画素データにすることが好ましい。具体的には、上述した通り、後段処理Ｊ０００３において、８ビットのＲＧＢデータを変換して８ビットのＣＭＹＫＲＧＢデータを出力する際に、変換前のＲＧＢデータが表す色を再現するのに第三の記録剤のみで足りる場合であっても、Ｒデータのみを出力するのではなく、Ｒデータのみならず、Ｙデータおよび／またはＭデータも共に出力するように構成している。
【００６４】
これにより、より効果的に色再現範囲を広げ中間調の粒状性や連続的な色の表現力を向上することが可能となる。特に、ハイライト部分からシャドー部分に至るグラデーションや、肌色から濃い赤色やオレンジ色への色の変化に対して擬似輪郭や色トビがより一層抑制される。とりわけ、第三のインクで表現される色の色相角を境にイエロー側からマゼンタ側へまたは、その逆へと色相が変化するような場合に対して、より効果的に画像を滑らかに表現できるために好ましい。
【００６５】
なお、上記では、第三のインクとイエローおよび／またはマゼンタのインクとを重ねて（重畳して）記録すると説明したが、ここで、重畳とは、第三のインクのドット位置にイエローおよび／またはマゼンタのインクのドットが完全に重なっている状態以外にも、一部がオーバーラップしている状態も含んでいる。
【００６６】
また、上記実施形態では、第三のインクとイエローおよび／またはマゼンタのインクとを同一画素に付与するため処理を、後段処理Ｊ０００３の段階で行う場合を例示したが、本発明はこれに限定されるものではない。
【００６７】
例えば、２値化処理からヘッド駆動までのいずれかの段階において、それぞれの第三のインクのドットにイエローおよび／またはマゼンタのインクのドットが重ねて記録されるようにインク吐出が行われるよう制御を行うものでもよい。具体的には、後段処理Ｊ０００３やハーフトンニングＪ０００５を経て作成されるイエローおよび／またはマゼンタのインクの２値データ（例えば、２値のＹデータ）とは別に、特色インクの２値データ（例えば、２値のＲデータ）に基づいてイエローおよび／またはマゼンタのインクの２値データ（例えば、２値のＹデータ）を作成する手法がある。
【００６８】
この構成によれば、第三のインクが付与される全画素に対し、イエローおよび／またはマゼンタのインクを確実に付与することもできるし、また、第三のインクが付与される画素の一部に対してだけイエローおよび／またはマゼンタのインクを付与するように制御することもできる。
【００６９】
本発明においては、第三のインクが付与される全画素に対し、イエローとマゼンタの双方が付与されることが好ましい。
【００７０】
（画像形成装置の機構部の概略構成）
本実施形態で画像形成装置として用いるインクジェット記録装置の機構部の概略構成を説明する。本実施形態における記録装置本体は、各機構の役割から、給紙部、用紙搬送部、キャリッジ部、排紙部、クリーニング部およびこれらを保護し、意匠性を持たす外装部から構成されている。以下、これらの概略を説明していく。
【００７１】
図６は、本実施形態で適用する記録装置の斜視図である。また、図７および図８は、記録装置本体の内部機構を説明するための図であり、図７は右上部からの斜視図、図８は記録装置本体の側断面図をそれぞれ示したものである。
【００７２】
本実施形態で適用する記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【００７３】
キャリッジ部では記録媒体に画像形成する場合、記録ヘッドＨ１００１（図９）を目的の画像形成位置に配置させ、電気基板Ｅ００１４からの信号に従って、記録媒体に対しインクを吐出する。記録ヘッドＨ１００１についての詳細な構成は後述するが、本実施形態の記録装置においては、記録ヘッドＨ１００１により記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【００７４】
最後に、画像形成された記録媒体は、排紙部で第１の排紙ローラＭ３１１０と拍車Ｍ３１２０とのニップに挟まれ、搬送されて排紙トレイＭ３１６０に排出される。
【００７５】
なお、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。また、キャップＭ５０１０を開けた状態で、キャップＭ５０１０に残っているインクを吸引することにより、残インクによる固着およびその後の弊害が起こらないように配慮されている。
【００７６】
（記録ヘッド構成）
上述の記録装置で適用するヘッドカートリッジＨ１０００の構成について説明する。
【００７７】
本実施形態におけるヘッドカートリッジＨ１０００においては、記録ヘッドＨ１００１と、インクタンクＨ１９００を搭載する手段、およびインクタンクＨ１９００から記録ヘッドにインクを供給するための手段を有しており、キャリッジＭ４０００に対して着脱可能に搭載される構成となっている。
【００７８】
図９は、本実施形態で適用するヘッドカートリッジＨ１０００に対し、インクタンクＨ１９００を装着する様子を示した図である。本実施形態の記録装置は、シアン、マゼンタ、イエロー、ブラック、第三のインク、ライトシアンおよびライトマゼンタの７色、あるいは、シアン、マゼンタ、イエロー、ブラック、第三、第五、および第六の７色のインクによって画像を形成するため、インクタンクＨ１９００は、以上の７色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００７９】
図１０は、ヘッドカートリッジＨ１０００の分解斜視図を示したものである。図において、ヘッドカートリッジＨ１０００は、第１の記録素子基板Ｈ３６００および第２の記録素子基板Ｈ３６０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【００８０】
本実施形態においては、７色分用意されたインクタンクＨ１９００のインクを、７列あるいは９列のノズル列に分配する構成となっており、各ノズル列が形成されている第１の記録素子基板Ｈ３６００および第２の記録素子基板Ｈ３６０１に各インクが分配される構成となっている。
【００８１】
第１の記録素子基板Ｈ３６００および第２の記録素子基板Ｈ３６０１はＳｉ基板であり、その片面にインクを吐出するための複数の記録素子（ノズル）がフォトリソグラフィ技術により形成されている。各記録素子に電力を供給するＡｌ等の電気配線は、成膜技術により形成されており、個々の記録素子に対応した複数のインク流路もまた、フォトリソグラフィ技術により形成されている。電気配線基板Ｈ１３００は、これら第１の記録素子基板Ｈ１１００および第２の記録素子基板Ｈ１１０１に形成されている各ノズルからインクを吐出するための電気信号を印加するものであり、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。さらに、複数のインク流路にインクを供給するためのインク供給口Ｈ１２０１が裏面に開口するように形成されている。
【００８２】
図１１は、本実施形態における、第１の記録素子基板Ｈ３６００および第２の記録素子基板Ｈ３６０１の構成を説明するための正面拡大図である。Ｈ２７００〜Ｈ３５００は、それぞれ異なる、あるいは同色のインク色に対応するノズル列であり、第１の記録素子基板Ｈ３６００には、ライトシアンインクが供給されるノズル列Ｈ３２００、ブラックインクが供給されるノズル列Ｈ３３００、第三のインクが供給されるノズル列Ｈ３４００、およびライトマゼンタインクの供給されるノズル列Ｈ３５００の４色分のノズル列が構成されている。
【００８３】
第２の記録素子基板Ｈ３６０１には、シアンインクが供給される２列のノズル列Ｈ２７００およびＨ３１００、マゼンタインクが供給される２列のノズル列Ｈ２８００およびＨ３０００、さらにイエローインクが供給されるノズル列Ｈ２９００の３色分で５列のノズル列が形成されており、イエローインクのノズル列Ｈ２９００を中心に、両側に線対称にマゼンタおよびシアンのノズル列が整列した構成となっている。
【００８４】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。
【００８５】
このようにシアン、マゼンタ、およびイエローのノズル列を、キャリッジＭ４０００の走査方向に対し対称に配置することは、キャリッジＭ４０００の双方向印刷を行った際に、色ムラという画像弊害を低減する効果がある。色むらとは、主に、記録媒体へ着弾するインクの色順が異なることによって生じる発色性の違いが原因となっている。本実施形態のように、イエローインクのノズル列Ｈ２９００を中心に、マゼンタとシアンのノズル列が２列ずつ対称に構成されていれば、プリント動作の往路と復路とで、利用するノズル列を切り替えることにより、記録媒体へ着弾するインクの順番を統一することができるのである。よって、本実施形態においては、高品位な画像を双方向で高速に形成可能なことが特徴となっている。
【００８６】
尚、ノズル列の配置は利用する７色すべてにおいて、対称であることが好ましいが、装置の大型化、コストアップ、およびデータ処理の複雑化を招いてしまうことから、本実施形態においては、特に双方向印刷時の色ムラへの寄与が大きい３色、すなわち、シアン、マゼンタ、およびイエローのノズル列のみを対称に配置している。
【００８７】
また、本実施形態のインク流路Ｈ１５０１は、シアンインク用の流路とマゼンタインク用の流路が途中で二股に分岐しており、それぞれ１つのインクタンクから供給されたインクを、２列のノズル列に分配可能な構成となっている。
【００８８】
図１２は、ノズルが７列の場合の第１の記録素子基板および第２の記録素子基板の構成を説明するための正面拡大図である。第１の記録素子基板Ｈ１１００が図１１の３６００に相当し、第２の記録素子基板Ｈ１１０１が図１１の３６０１に相当する。Ｈ２０００〜Ｈ２６００は、それぞれ異なるインク色に対応する記録素子の列（以下ノズル列ともいう）であり、第１の記録素子基板Ｈ１１００には、シアンインクの供給されるノズル列Ｈ２０００、マゼンタインクの供給されるノズル列Ｈ２１００、およびイエローインクの供給されるノズル列Ｈ２２００の３色分のノズル列が構成されている。第２の記録素子基板Ｈ１１０１には、ブラックインクの供給されるノズル列Ｈ２３００、第三のインクの供給されるノズル列Ｈ２４００、第五のインクの供給されるノズル列Ｈ２５００、および第六のインクの供給されるノズル列Ｈ２６００の４色分のノズル列が構成されている。
【００８９】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。また、第１の記録素子基板Ｈ１１００および第２の記録素子基板Ｈ１１０１は第１のプレートＨ１２００に接着固定されており、ここには、第１の記録素子基板Ｈ１１００および第２の記録素子基板Ｈ１１０１にインクを供給するためのインク供給口Ｈ１２０１が形成されている。
【００９０】
さらに、第１のプレートＨ１２００には、開口部を有する第２のプレートＨ１４００が接着固定されており、この第２のプレートＨ１４００は、電気配線基板Ｈ１３００と第１の記録素子基板Ｈ１１００および第２の記録素子基板Ｈ１１０１とが電気的に接続されるように、電気配線基板Ｈ１３００を保持している。
【００９１】
電気配線基板Ｈ１３００は、第１の記録素子基板Ｈ１１００および第２の記録素子基板Ｈ１１０１に形成されている各ノズルからインクを吐出するための電気信号を印加するものであり、第１の記録素子基板Ｈ１１００および第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００９２】
その他は、図１１の説明と同等なので、詳細は割愛する。
【００９３】
なお、記録ヘッドのインク吐出方式としては、例えば、インクを吐出するために利用されるエネルギとして、電気信号に応じて膜沸騰をインクに対して生じさせるための熱エネルギを生成する電気熱変換体（記録素子）を用いたものを挙げることができる。この方式は、所謂オンデマンド型、コンティニュアス型のいずれにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行なわれるので、特に応答性に優れた液体（インク）の吐出が達成でき、より好ましいと言える。
【００９４】
また、他の吐出方式による記録ヘッドの形態としては、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【００９５】
また、インクジェット記録装置としては、上述のようにヘッドとインクタンクとが別体となったものに限らず、それらが分離不能に一体になったものを用いるものでもよい。また、インクタンクとしてはヘッドに対し分離可能または分離不能に一体化されてキャリッジに搭載されるもののほか、装置の固定部位に設けられて、インク供給部材、例えばチューブを介して記録ヘッドにインクを供給する形態のものでもよい。さらに、記録ヘッドに対し好ましい負圧を作用させるための構成をインクタンクに設ける場合には、インクタンクのインク収納部に吸収体を配置した形態、あるいは可撓性のインク収容袋とこれに対しその内容積を拡張する方向の付勢力を作用するばね部とを有した形態などを採用することができる。
また、記録装置としては、上述のようにシリアル記録方式を採るもののほか、記録媒体の全幅に対応した範囲にわたって記録素子を整列させてなるラインプリンタの形態をとるものであってもよい。
【００９６】
（インク）
本発明に用いられるインクの色材としては、一般的に用いられている染料や顔料などの公知の色材であっても、新規に合成された色材であっても、本発明の範囲内で適宜選択して用いることができる。特に本発明の形態としては、色材として少なくとも染料を用いることが好ましい。染料はインク中に分子レベルで溶解しているために、近年フォト出力に多用される光沢紙や光沢フィルムなどの光沢媒体に対し本発明に従ってインクを付与した際に、色材がインク受容層内で定着し、媒体表面の記録部分と非記録部分の表面状態が維持されるために光沢感が失われず、銀塩写真のポジティブフィルムに匹敵する高い質感を有する画像を形成することができるために好ましい形態である。
【００９７】
インク中に含有させる色材の含有量としては、インク全質量に対して０．１〜１５質量％とすることが好ましい。また、インク中に含有させる色材は単独でも、あるいは２種以上を混合して用いることも可能である。また、第三、第五および第六のインクに用いる色材についても、単独の色材、類似の色相を持つ２種以上の色材を混合したもの、あるいはイエローおよびマゼンタの色相を持つ色材を混合したもの等、本発明の範囲内で適宜選択して用いることができる。
【００９８】
ただし、イエロー、マゼンタおよび第三のインクがそれぞれ、記録媒体に記録した際の色が上記した条件１および条件２を満たすような、さらには、シアンに加え、上記した条件３および条件４を満たすような、第五および第六の色材およびインク組成にすることが本発明の特徴である。
【００９９】
これら条件を満たす上で特に好ましい形態としては、本発明ではイエロー、マゼンタおよびシアン用色材として染料、とりわけ酸性染料や直接染料を用いることが好ましい。酸性染料や直接染料は、普通紙、あるいは光沢紙、コート紙、光沢フィルムと呼ばれるような、表面にコート層あるいはインク受容層を有する特殊媒体等、各種の記録媒体で良好な発色を得ることができるため、本発明に好適に用いることができる。
【０１００】
下記に、本発明に用いることのできるイエローおよびマゼンタ用色材の一例として酸性染料および直接染料の具体例を色調別に例示するが、本発明はこれらに限定されるものではない。
【０１０１】
イエロー用の色材
Ｃ．Ｉ．ダイレクトイエロー（ＤＹ）：８、１１、１２、２７、２８、３３、３９、４４、５０、５８、８５、８６、８７、８８、８９、９８、１００、１１０、１３２、１７３、
Ｃ．Ｉ．アシッドイエロー（ＡＹ）：１、３、７、１１、１７、２３、２５、２９、３６、３８、４０、４２、４４、７６、９８、９９、
この他に特許文献４および特許文献５に記載されている構造の化合物等。
【０１０２】
マゼンタ用の色材
Ｃ．Ｉ．ダイレクトレッド（ＤＲ）：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０、
Ｃ．Ｉ．アシッドレッド（ＡＲ）：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９、
Ｃ．Ｉ．フードレッド（ＦＲ）：８７、９２、９４、
Ｃ．Ｉ．ダイレクトバイオレット（ＤＶ）：１０７、
この他に特許文献６、特許文献７、特許文献８、特許文献９および特許文献１０に記載されている構造の化合物、下記一般式（I）で表される染料、遊離酸の形で一般式（II）で表される染料。
一般式（I）
【０１０３】
【化１】
2005088581.tif 000003
【０１０４】
（上記一般式（I）中、Ｒ１は、置換若しくは未置換のアルコキシ基、又は置換若しくは未置換のアリール基を表し、Ｒ２およびＲ４は、各々独立に、水素原子又は置換若しくは未置換のアルキル基を表し、Ｒ３は、水素原子、置換若しくは未置換のアルキル基、置換若しくは未置換のアルコキシ基、置換若しくは未置換のアリールオキシ基又はハロゲン原子を表す。Ｘは、遊離酸の形でカルボキシル基、又はスルホン酸を表す。ｎは１又は２を表す。）
一般式（II）
【０１０５】
【化２】
2005088581.tif 000004
【０１０６】
（上記一般式（ＩＩ）中、Ａｒ１は置換もしくは未置換のフェニル基、または置換もしくは未置換のナフチル基を表し、Ａｒ２は置換もしくは未置換のアセチル基、ベンゾイル基、１，３，５−トリアジニル基、ＳＯ２−Ｃ６Ｈ５基又はＳＯ２−Ｃ６Ｈ４−ＣＨ３基のいずれかを表す。）
【０１０７】
また、上記した染料のうち、良好な色再現性が得られるだけでなく、インクジェット記録装置にかかる信頼性、例えば、記録ヘッドの難目詰り性、インク液媒体への溶解性、インクの保存安定性などを十分に得ることができるため、特に、イエロー用としてAY17、AY23、DY86、DY132、DY173、またマゼンタ用としてAR52、AR289、DV107、一般式（I）、遊離酸の形で一般式（II）で表される染料が好適に用いることができる。
【０１０８】
一般式（I）で表される染料の例を以下に示す。
例示化合物１
【０１０９】
【化３】
2005088581.tif 000005
【０１１０】
例示化合物２
【０１１１】
【化４】
2005088581.tif 000006
【０１１２】
例示化合物３
【０１１３】
【化５】
2005088581.tif 000007
【０１１４】
例示化合物４
【０１１５】
【化６】
2005088581.tif 000008
【０１１６】
例示化合物５
【０１１７】
【化７】
2005088581.tif 000009
【０１１８】
例示化合物６
【０１１９】
【化８】
2005088581.tif 000010
【０１２０】
例示化合物７
【０１２１】
【化９】
2005088581.tif 000011
【０１２２】
次に遊離酸の形で一般式（II）で表される染料の例を以下に示す。
例示化合物８
【０１２３】
【化１０】
2005088581.tif 000012
【０１２４】
例示化合物９
【０１２５】
【化１１】
2005088581.tif 000013
【０１２６】
例示化合物１０
【０１２７】
【化１２】
2005088581.tif 000014
【０１２８】
例示化合物１１
【０１２９】
【化１３】
2005088581.tif 000015
【０１３０】
例示化合物１２
【０１３１】
【化１４】
2005088581.tif 000016
【０１３２】
また、本発明で使用される一般式（I）、（II）で表される色材は遊離酸型のまま使用してもよいが製造時、塩型で得られた場合はそのまま使用してもよいし、所望の塩型に変換してもよい。また酸基の一部が塩型のものであってもよく、塩型の色素と遊離酸型の色素が混在していてもよい。このような塩型の例としてＮａ、Ｌｉ、Ｋ等のアルカリ金属の塩、アルキル基もしくはヒドロキシアルキル基で置換されていてもよいアンモニウムの塩、または有機アミンの塩があげられる。有機アミンの例として、低級アルキルアミン、ヒドロキシ置換低級アルキルアミン、カルボキシ置換低級アルキルアミンおよび炭素数２〜４のアルキレンイミン単位を２〜１０個有するポリアミン等があげられる。これらの塩型の場合、その種類は１種類に限られず複数種混在していてもよい。
【０１３３】
次に、本発明に用いることのできる、第三のインクに用いる色材の具体例を以下に例示するが、本発明はこれらに限定されるものではない。また、第三のインクに用いる色材としては、以下に例示する色材に、例えば調色等のために前記したイエローあるいはマゼンタ用色材を混合して用いることもできるし、あるいは前記したイエロー用色材とマゼンタ用色材を混合して用いることもできる。
【０１３４】
第三のインク用の色材
Ｃ．Ｉ．アシッドオレンジ（ＡＯ）：７、８、１０、１２、２４、３３、５６、６７、７４、８８、９４、１１６、１４２、
Ｃ．Ｉ．アシッドレッド（ＡＲ）：１１１、１１４、２６６、３７４、
Ｃ．Ｉ．ダイレクトオレンジ（ＤＯ）：２６、２９、３４、３９、５７、１０２、１１８、
Ｃ．Ｉ．フードイエロー（ＦＹ）：３、
Ｃ．Ｉ．リアクティブオレンジ（ＲＯ）：１、４、５、７、１２、１３、１４、１５、１６、２０、２９、３０、８４、１０７、
Ｃ．Ｉ．ディスパースオレンジ（ＤＯ）：１、３、１１、１３、２０、２５、２９、３０、３１、３２、４７、５５、５６、
Ｃ．Ｉ．ピグメントオレンジ（ＰＯ）：４３
Ｃ．Ｉ．ピグメントレッド（ＰＲ）：１２２、１７０、１７７、１９４、２０９、２２４
また、上記以外に以下の一般式で示されるものも用いることができる。
一般式（III）
【０１３５】
【化１５】
2005088581.tif 000017
【０１３６】
（上記一般式（III）中、ｍは０〜２の整数を表す。ｎは０〜１の整数を表す。ただしｍ＋ｎは１以上の整数である。）
一般式（IV）
【０１３７】
【化１６】
2005088581.tif 000018
【０１３８】
（上記一般式（IV）中、ｍは１〜２の整数を表す。Ｒ１は水素原子、もしくはアルキル基を表す。Ｘは−ＮＲ２Ｒ３、−ＯＲ２であり、Ｒ２，Ｒ３は各々水素原子、もしくはアルキル基を表す。Ｙは水素原子、もしくはアルキル基を表す。）
【０１３９】
上記一般式（IV）中のＲ１〜Ｒ３について、より具体的には、Ｒ１としては、水素原子や炭素数１〜４の直鎖状若しくは分岐鎖状のアルキル基である。Ｘは反応不活性な置換基であり、−ＮＲ２Ｒ３、−ＯＲ２が挙げられる。Ｒ２、Ｒ３はとしては、水素原子、炭素数１〜４の直鎖状若しくは分岐鎖状のアルキル基である。Ｙの原子としては反応不活性な置換基であり、水素原子や炭素数１〜４の直鎖状若しくは分岐鎖状のアルキル基が挙げられる。
【０１４０】
上記一般式（IV）中のトリアジン環に直接結合する置換基はインクの長期保存安定性の観点から反応不活性基に限定される。
【０１４１】
本発明で使用される一般式（III）および（IV）で表される色材は遊離酸型のまま使用してもよいが製造時、塩型で得られた場合はそのまま使用してもよいし、所望の塩型に変換してもよい。また酸基の一部が塩型のものであってもよく、塩型の色素と遊離酸型の色素が混在していてもよい。このような塩型の例としてＮａ、Ｌｉ、Ｋ等のアルカリ金属の塩、アルキル基もしくはヒドロキシアルキル基で置換されていてもよいアンモニウムの塩、又は有機アミンの塩があげられる。有機アミンの例として、低級アルキルアミン、ヒドロキシ置換低級アルキルアミン、カルボキシ置換低級アルキルアミンおよび炭素数２〜４のアルキレンイミン単位を２〜１０個有するポリアミン等があげられる。これらの塩型の場合、その種類は１種類に限られず複数種混在していてもよい。また、本発明で使用する色素の構造において、その１分子中に酸基が複数個含まれる場合は、その複数の酸基は塩基あるいは酸型であり互いに異なるものであってもよい。
【０１４２】
中でも一般式（III）および（IV）やＣ．Ｉ．リアクティブオレンジ１３等の色材を用いた第三のインクは、より鮮やかさ、透明感、コントラストの向上した画像を得ることができ、また、耐光性や耐ガス性に対して優れた画像堅牢性、およびインクジェット記録装置にかかる優れた信頼性をも兼ね備えており、好ましく用いることができる。
【０１４３】
これらの色材の具体例としては、例えば以下に示す構造の色材が挙げられるが、本発明で使用する色材は、これらに限定されるものではない。また、下記に挙げるような色材を同時に２種類以上用いてもよく、あるいは上記イエローおよびマゼンタの色相を持つ色材を混合したもの等、本発明の範囲内で適宜選択して用いることができる。
【０１４４】
一般式（III）の具体例としては例えば以下の色材がある。
例示化合物１３
【０１４５】
【化１７】
2005088581.tif 000019
【０１４６】
例示化合物１４
【０１４７】
【化１８】
2005088581.tif 000020
【０１４８】
一般式（IV）の具体例としては例えば以下の色材が列挙される。
例示化合物１５
【０１４９】
【化１９】
2005088581.tif 000021
【０１５０】
例示化合物１６
【０１５１】
【化２０】
2005088581.tif 000022
【０１５２】
本実施態様に係るインク中の全色材の含有量は、インク全量に対して０．１〜１５．０質量％、特には１．０〜１０．０質量％の範囲が好ましい。
【０１５３】
本発明におけるより好ましいイエローインク、マゼンタインクおよび第三のインクの色材としては、以下のものが挙げられる。
【０１５４】
好ましいイエローインクの色材としては、Ｃ．Ｉ．ダイレクトイエロー８６、１３２、１７３、Ｃ．Ｉ．アシッドイエロー２３および特許文献４および特許文献５に記載されている構造の化合物等が挙げられ、特に好ましくは、Ｃ．Ｉ．ダイレクトイエロー８６および１３２である。
【０１５５】
好ましいマゼンタインクの色材としては、Ｃ．Ｉ．アシッドレッド５２、９２、２８９、Ｃ．Ｉ．ダイレクトバイオレット１０７および特許文献６、特許文献７、特許文献８、特許文献９および特許文献１０に記載されている構造の化合物、上記一般式（I）で表される染料および上記一般式（II）で表される染料等が挙げられ、特には、Ｃ．Ｉ．アシッドレッド５２、２８９、Ｃ．Ｉ．ダイレクトバイオレット１０７、上記一般式（I）で表される染料および上記一般式（II）で表される染料である。
【０１５６】
好ましい第三のインクの色材としては、Ｃ．Ｉ．フードイエロー３、Ｃ．Ｉ．アシッドオレンジ７、１０、５６、８８、Ｃ．Ｉ．アシッドレッド８７、Ｃ．Ｉ．アシッドイエロー３６、Ｃ．Ｉ．リアクティブオレンジ１３および上記一般式（III）で表されるの染料および上記一般式（IV）で表されるの染料等が挙げられ、特には、Ｃ．Ｉ．フードイエロー３、リアクティブオレンジ１３、上記一般式（III）で表される染料および上記一般式（IV）で表される染料である。
【０１５７】
本発明においては、これらをそれぞれ１種類以上含むイエローインク、マゼンタインクおよび第三のインクの組み合わせであることが特に好ましい。
【０１５８】
上述のように、本発明では、イエローインク、マゼンタインク、第三のインクの他に、フルカラーの画像を形成する等のために、別の色を有するインク、例えばシアンインク、ブラックインク等を加えて用いることもできるし、あるいは上述した実施形態のようにこれらのインクと同一色調の淡インクを組み合わせて用いることもできる。これら別の色を有するインク、あるいは淡インクの色材としては、一般的に用いられている染料や顔料などの公知の色材であっても新規に合成された色材であっても、適宜選択して用いることができる。
【０１５９】
また、本発明においては、上記条件３および４を満足する、第五および第六のインクを用いることができる。
【０１６０】
以下に、シアン、ブラック用色材の具体例を色調別に例示するが、本発明はこれらに限定されるものではない。
【０１６１】
シアン用の色材
Ｃ．Ｉ．ダイレクトブルー（ＤＢ）：１、１５、２２、２５、４１、７６、７７、８０、８６、９０、９８、１０６、１０８、１２０、１５８、１６３、１６８、１９９、２２６、３０７、
Ｃ．Ｉ．アシッドブルー（ＡＢ）：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４、
この他に特許文献１１、特許文献１２、特許文献１３および特許文献１４に記載されている構造の化合物等。
【０１６２】
ブラック用色材
Ｃ．Ｉ．ダイレクトブラック（ＤＢ）：１７、１９、２２、３１、３２、５１、６２、７１、７４、１１２、１１３、１５４、１６８、１９５、
Ｃ．Ｉ．アシッドブラック（ＡＢ）：２、４８、５１、５２、１１０、１１５、１５６、
Ｃ．Ｉ．フードブラック（ＦＢ）：１、２、
カーボンブラック、
この他に特許文献１５に記載されている構造の化合物等。
【０１６３】
カーボンブラックとしては例えば、ファーネスブラック、ランプブラック、アセチレンブラック、チャンネルブラック等のカーボンブラック顔料で、例えば、レイヴァン（Ｒａｖｅｎ）７０００、レイヴァン５７５０、レイヴァン５２５０、レイヴァン５０００、レイヴァン３５００、レイヴァン２０００、レイヴァン１５００、レイヴァン１２５０、レイヴァン１２００、レイヴァン１１９０ＵＬＴＲＡ−ＩＩ、レイヴァン１１７０、レイヴァン１２５５（以上コロンビア社製）、ブラックパールズ（Ｂｌａｃｋ Ｐｅａｒｌｓ）Ｌ、リーガル（Ｒｅｇａｌ）４００Ｒ、リーガル３３０Ｒ、リーガル６６０Ｒ、モウグル（Ｍｏｇｕｌ）Ｌ、モナク（Ｍｏｎａｒｃｈ）７００、モナク８００、モナク８８０、モナク９００、モナク１０００、モナク１１００、モナク１３００、モナク１４００、ヴァルカン（Ｖａｌｃａｎ）ＸＣ−７２Ｒ（以上キャボット社製）、カラーブラック（Ｃｏｌｏｒ Ｂｌａｃｋ）ＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス（Ｐｒｉｎｔｅｘ）３５、プリンテックスＵ、プリンテックスＶ、プリンテックス１４０Ｕ、プリンテックス１４０Ｖ、スペシャルブラック（ＳｐｅｃｉａｌＢｌａｃｋ）６、スペシャルブラック５、スペシャルブラック４Ａ、スペシャルブラック４（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を使用することができる。また、マグネタイト、フェライト等の磁性体微粒子やチタンブラック等を黒色顔料として用いても良い。
【０１６４】
また、上記した顔料を用いる場合には分散剤を併用することが好ましい。分散剤としては、アニオン性基の作用によって上記の顔料を水性媒体に安定に分散させることのできるものが好適に用いられる。分散剤の具体例は、例えばスチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体、スチレン−無水マレイン酸−マレイン酸ハーフエステル共重合体あるいはこれらの塩等が含まれる。またこれらの分散剤は、重量平均分子量が１０００〜３００００の範囲のものが好ましい。
【０１６５】
また、色材として、顔料表面にイオン性基（アニオン性基）を結合させることによって分散剤なしで水性媒体に分散させることのできる顔料、いわゆる自己分散型顔料を用いることもでき、このような顔料の一例として例えば、自己分散型カーボンブラックを挙げることができる。
【０１６６】
自己分散型カーボンブラックとしては、例えばアニオン性基がカーボンブラック表面に結合したものを挙げることができる。
【０１６７】
次に、本発明に用いることのできる、第五および第六のインクに用いる色材の具体例を以下に例示するが、本発明はこれらに限定されるものではない。また、第三のインクに用いる色材としては、以下に例示する色材に、例えば調色等のために前記したイエローあるいはマゼンタ用色材を混合して用いることもできるし、あるいは前記したイエロー用色材とマゼンタ用色材を混合して用いることもできる。
【０１６８】
第五のインク用の色材
Ｃ．Ｉ．アシッドグリーン（ＡＧ）：１、３、５、６、９、１２、１５、１６、１９、２１、２５、２８、８１、８４、
Ｃ．Ｉ．ダイレクトグリーン（ＤＧ）：２６、５９、６７、
Ｃ．Ｉ．フードグリーン（ＦＧ）：３、
Ｃ．Ｉ．リアクティブグリーン（ＲＧ）：５、６、１２、１９、２１、
Ｃ．Ｉ．ディスパースグリーン（ＤＧ）：６、９。
【０１６９】
また、上記色材を同時に２種類以上用いてもよく、あるいは上記イエローおよびシアンの色相を持つ色材を混合したもの等、本発明の範囲内で適宜選択して用いることができる。
【０１７０】
第六のインク用の色材
Ｃ．Ｉ．アシッドブルー（ＡＢ）：６２、８０、８３、９０、１０４、１１２、１１３、１４２、２０３、２０４、２２１、２４４、
Ｃ．Ｉ．リアクティブブルー（ＲＢ）：４９、
Ｃ．Ｉ．アシッドバイオレット（ＡＶ）：１７、１９、４８、４９、５４、１２９、
Ｃ．Ｉ．ダイレクトバイオレット（ＤＶ）：９、３５、４７、５１、６６、９３、９５、９９、
Ｃ．Ｉ．リアクティブバイオレット（ＲＶ）：１、２、４、５、６、８、９、２２、３４、３６、
Ｃ．Ｉ．ディスパースバイオレット（ＤＶ）：１、４、８、２３、２６、２８、３１、３３、３５、３８、４８、５６、
下記、遊離酸の形で一般式（Ｖ）で表されるアントラキノン構造を有する染料。
【０１７１】
一般式（Ｖ）
【０１７２】
【化２１】
2005088581.tif 000023
【０１７３】
（上記一般式（Ｖ）中、ｍは０か１の整数を表す。Ｒ１、Ｒ２は各々独立的に水素原子、置換若しくは未置換のフェニル基あるいは置換若しくは未置換のシクロヘキシル基を表す。また、Ｒ１、Ｒ２中の置換基としてスルホン酸基が含まれない場合は、ｍは１である。）
【０１７４】
本発明で使用される一般式（Ｖ）で表される色材は遊離酸型のまま使用してもよいが製造時、塩型で得られた場合はそのまま使用してもよいし、所望の塩型に変換してもよい。また酸基の一部が塩型のものであってもよく、塩型の色素と遊離酸型の色素が混在していてもよい。このような塩型の例としてＮａ、Ｌｉ、Ｋ等のアルカリ金属の塩、アルキル基もしくはヒドロキシアルキル基で置換されていてもよいアンモニウムの塩、又は有機アミンの塩があげられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等があげられる。これらの塩型の場合、その種類は１種類に限られず複数種混在していてもよい。また、本発明で使用する色素の構造において、その１分子中に酸基が複数個含まれる場合は、その複数の酸基は塩基あるいは酸型であり互いに異なるものであってもよい。
【０１７５】
上記一般式（Ｖ）中のＲ１、Ｒ２について、より具体的に示すと、水素原子、置換若しくは未置換のフェニル基あるいは置換若しくは未置換のシクロヘキシル基が挙げられ、フェニル基やシクロヘキシル基の置換基としては炭素数１〜４の直鎖状若しくは分岐鎖状のアルキル基、水酸基、カルボキシル基若しくはその塩、あるいはスルホン酸基若しくはその塩などが挙げられる。
【０１７６】
一般式（Ｖ）で示される染料の一例を以下に示す。
例示化合物１７
【０１７７】
【化２２】
2005088581.tif 000024
【０１７８】
例示化合物１８
【０１７９】
【化２３】
2005088581.tif 000025
【０１８０】
本発明においては、上記色材を同時に２種類以上用いてもよく、あるいは上記マゼンタおよびシアンの色相を持つ色材を混合したもの等、本発明の効果が得られる範囲内で適宜選択して用いることができる。
【０１８１】
本発明に用いられるインクは、上記した色材を、本発明に係る画像形成方法や画像形成装置で好適に用いられる形態、例えば粉体，水溶液等に、各種画像形成方法や画像形成装置で一般的に用いられる手法を用いて加工して用いることができる。
【０１８２】
一例として、本発明に係るインクジェット記録装置に用いるインクについて述べる。本発明に係るインクジェット記録装置に用いられるインクは、水を主体とする水性媒体に本発明に用いられる色材を溶解あるいは分散させて用いるのが一般的である。この水性媒体としては、水単独、あるいは水と水溶性有機溶剤を含むものが利用できる。
【０１８３】
この水溶性有機溶剤としては、水溶性を示すものであれば特に制限はなく、アルコール、多価アルコール、ポリグリコール、グリコールエーテル、含窒素極性溶媒、含硫黄極性溶媒、尿素類、糖類およびこれらの誘導体など、一般的にインクジェット用インクの溶剤として用いられているものであれば、問題なく使用することができる。これらの溶剤はインクの保湿性維持や色材の溶解性、分散性の向上、インクの記録紙への浸透剤などの用途として用いられる。また、これらの溶剤は単独でも複数を組み合わせて用いることもできる。
【０１８４】
水溶性有機溶剤の含有量は、一般にはインク全体の１〜５０質量％の範囲が好ましく、より好ましくは３〜４０質量％の範囲である。また、インク中の水の含有量は、染料の溶解性やインクの吐出安定性を良好に保つために、３０〜９５質量％の範囲が好ましい。
【０１８５】
さらに本発明のインクには上記成分以外にも必要に応じて界面活性剤、pＨ調整剤、防錆剤、防腐剤、防カビ剤、酸化防止剤、還元防止剤、蒸発促進剤、キレート化剤、水溶性ポリマー等、種々の添加剤を含有させてもよい。
【０１８６】
例えば界面活性剤としては、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤があり、これらの１種または２種以上を適宜選択して使用できる。上記した中でも、特にアセチレンアルコール類や、アセチレングリコール類が普通紙への浸透性に優れた効果を発揮するために好適に用いることができる。その使用量は、界面活性剤の種類により異なるが、インク全量に対して、０．０１〜５質量％が望ましい。この際、インクの２５℃における表面張力は１０ｍＮ／ｍ（ｄｙｎ／ｃｍ）以上が好ましく、より好ましくは２０ｍＮ／ｍ以上となるように、また表面張力が６０ｍＮ／ｍ以下となるように活性剤の添加する量を決定することが好ましい。なぜなら、本発明で使用するインクジェット記録方式においては、ノズル先端の濡れによるいわゆる印字ヨレ（インク滴の着弾点のズレ）等の発生を有効に抑えることができるからである。
【０１８７】
また、インクはインクジェット記録装置で良好な吐出特性を得るために、所望の粘度やｐＨを有するように調整することが好ましい。
【０１８８】
（記録媒体）
本発明に用いることのできる記録媒体としては、普通紙、あるいは光沢紙、コート紙、光沢フィルムと呼ばれるような、表面にコート層あるいはインク受容層を有する特殊媒体等、一般的に用いられている記録媒体を用いることができる。これらの中でも、より鮮やかさ、コントラスト、透明感の高い画像が得られる記録媒体の一例として、基材上に親水性の多孔質粒子層、多孔質高分子層等を有する特殊媒体を挙げることができる。
【０１８９】
本発明で用いられる記録媒体としての特殊媒体の例をさらに詳述すると、染料や顔料などの色材をインク受容層内の親水性多孔質構造を形成する微粒子に吸着させて、少なくともこの吸着した色材によって画像が形成される記録媒体であり、インクジェット法を利用する場合には特に好適である。このような記録媒体としては支持体上のインク受容層に形成された空隙によりインクを吸収するいわゆる吸収タイプであることが好ましい。
【０１９０】
吸収タイプのインク受容層は、微粒子を主体とし、必要に応じてバインダーやその他の添加剤を含有する親水性多孔質層として構成される。微粒子の例としては、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。
【０１９１】
バインダーとして好適に使用されているものには水溶性高分子やラテックスを挙げることができる。例えば、ポリビニルアルコールまたはその変性体、澱粉またはその変性体、ゼラチンまたはその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、メチルメタクリレート-ブタジエン共重合体ラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体などが使用され、必要に応じて２種以上を組み合わせて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【実施例】
【０１９２】
以下、実施例を用いてさらに具体的に説明するが、本発明は、その要旨を超えない限り、下記実施例により限定されるものではない。
【０１９３】
なお、以下の記載で「部」、「％」とあるものは、特に断りのない限り質量基準である。
【０１９４】
（実施例１−１〜１−４および比較例１−１、１−２）
下記表１に記載の染料を表中の所定量添加し、以下に示す組成の成分を添加し総量が１００部になるように水を混合した後、十分に攪拌して溶解させた。その後、ポアサイズ０．２μｍのミクロフィルター（富士フィルム製）にて加圧ろ過し、各種イエロー、マゼンタ、第三、第五および第六のインクを調製した。
【０１９５】
各色のインク組成
グリセリン                １０部
ジエチレングリコール      １０部
アセチレングリコールエチレンオキサイド付加物
（商品名：アセチレノールEH；川研ファインケミカル（株）社製）
１部
染料                    所定量部
水                          残部
（総量  １００部）
【０１９６】
【表１】
2005088581.tif 000026
【０１９７】
各実施例では、上記インクNo.のインクを用い、表２のように組み合わせたインクセットを用いた。
【０１９８】
【表２】
2005088581.tif 000027
【０１９９】
上記実施例のインクセット、記録媒体としてPR101（キヤノン（株）製）、および画像形成装置として、インクジェット式画像形成装置であるキヤノン（株）製PIXUS950i改造機を用いて画像を形成し、以下の評価を行った。画像のＬ＊、ａ＊、ｂ＊の測定には、Gretag Macbeth社製Spectrolinoを用いた。測定条件は、観測光源：D50、観測視野：２度、濃度：ANSI A、白色基準：Abs、フィルター：Noにて行った。
【０２００】
各実施例では、上記インクセットのイエローインク、マゼンタインク、第三のインク、第五のインクおよび第六のインクのみでの、０〜１００％デューティまで段階的に階調を振ったいわゆるベタ印字を行った。また、同じイエローインクおよびマゼンタインクを任意の組み合わせで用いることにより、イエロー〜オレンジ〜レッド〜マゼンタの色相を持つ画像を形成した。同様に、イエローインクとシアンインクとを組み合わせイエロー〜グリーン〜シアン、マゼンタインクとシアンインクとを組み合わせマゼンタ〜バイオレット〜ブルー〜シアンの色相を持つ画像を形成した。そしてこれらの画像のＬ＊、ａ＊、ｂ＊を上記方法にて測定した。
【０２０１】
表３には、各インクの１００％デューティの記録でのＬ＊、ａ＊、ｂ＊および彩度（ｃ＊）、色相角（Ｈ゜）を示す。なお、彩度はｃ＊＝（ａ＊２＋ｂ＊２）１／２、色相角（Ｈ゜）は、Ｈ゜=ｔａｎ−１(ｂ＊/ａ＊)＋１８０゜(ａ＊＜０の場合)、又はＨ゜＝ｔａｎ−１（ｂ＊/ａ＊）＋３６０゜（ａ＊＞０の場合）により求められる。また、ここでの１００％デューティとは２４００ｄｐｉ×１２００ｄｐｉの解像度で全ての画素の構成エリア（例えば１つの画素はｍ×ｎのマスで構成されるパターンに対応し、この１画素内の各マスはエリアと定義する。この「エリア」はドットのオン・オフが定義される最小単位である）について１ドット付与した場合を示し、本実施例では１ドットあたり２．５ｎｇのインクを付与しているために、例えば１平方インチの単位面積あたりの付与量に換算すると７．２ｍｇとなる。
【０２０２】
【表３】
2005088581.tif 000028
【０２０３】
表３より、全ての実施例、比較例において第三のインクで形成された色の色相角が、イエローとマゼンタとの組み合わせにより形成された色の再現領域内にあることがわかる。同様に、全ての実施例、比較例において、第五のインクで形成された色の色相角がイエローとシアンとの組み合わせ、また、第六のインクで形成された色の色相角がマゼンタとシアンとの組み合わせにより形成された色の再現領域内にあることがわかる。
【０２０４】
図１３〜図１８は、イエローとマゼンタとの組み合わせにより形成された色の中から、第三のインクで表現された色が示す軌跡に一致する色相の色を選び出し、第三のインクの色と、イエローとマゼンタとの混色の色との彩度（ｃ＊）と明度（Ｌ＊）の関係を示す。
【０２０５】
実施例１−１〜実施例１−４に対応した図１３〜図１６より、いずれの実施例も同一色相、同一彩度において、第三のインクで表現された色の明度は、イエローとマゼンタの組み合わせで表現された色の明度より高いことがわかる。一方、比較例１−１（図１７）では第三のインクで表現された色の明度は、イエローとマゼンタの組み合わせで表現された色の明度より低いことがわかる。また、比較例１−２（図１８）では、同一色相、同一彩度において、第三のインクで表現された色の明度は、イエローとマゼンタの組み合わせで表現された色の明度より高いが、イエローとマゼンタとの間の色相角が１１３°を超えている。
【０２０６】
図１９〜図２４は、イエローとシアンとの組み合わせにより形成された色の中から、第五のインクで表現された色が示す軌跡に一致する色相の色を選び出し、第五のインクの色と、イエローとシアンとの混色の色との彩度（ｃ＊）と明度（Ｌ＊）の関係を示す。
【０２０７】
実施例１−１〜実施例１−４に対応した図１９〜図２２より、いずれの実施例も同一色相、同一彩度において、第五のインクで表現された色の明度は、イエローとシアンの組み合わせで表現された色の明度より高いことがわかる。一方、比較例１−１（図２３）では第五のインクで表現された色の明度は、イエローとシアンの組み合わせで表現された色の明度より低いことがわかる。
【０２０８】
図２５〜図３０は、マゼンタとシアンとの組み合わせにより形成された色の中から、第六のインクで表現された色が示す軌跡に一致する色相の色を選び出し、第六のインクの色と、マゼンタとシアンとの混色の色との彩度（ｃ＊）と明度（Ｌ＊）の関係を示す。
【０２０９】
実施例１−１〜実施例１−４に対応した図２５〜図２８より、いずれの実施例も同一色相、同一彩度において、第六のインクで表現された色の明度は、マゼンタとシアンの組み合わせで表現された色の明度より高いことがわかる。一方、比較例１−１（図２９）では第六のインクで表現された色の明度は、マゼンタとシアンの組み合わせで表現された色の明度より低いことがわかる。
【０２１０】
（実画評価）
次に、実施例１−１〜１−４および比較例１−１、１−２のインクセットに、下記のブラックインクを追加し、フルカラー自然画として、「１．夕焼けの景色」、「２.紅葉の景色」、「３．人物」、「４．竹林の景色」、「５．青空の景色」および「６．海の景色」の６種類の画像を形成した。画像形成は、イエロー、マゼンタ、シアン、第三、第五、第六およびブラックのインクで形成される専用の画像ファイルを作成して行った。この際、画素データ内に第三のインクを使用する画像データを含む際に、同時にイエローインクおよびマゼンタインクを使用するデータを含む形態となるように画像ファイルを作成した。また、上記フルカラー自然画を、各実施例および比較例の第三、第五および第六のインクを除いたイエロー、マゼンタ、シアンおよびブラックの４色にて画像形成するための専用の画像ファイルを作成し、画像形成を行った。
【０２１１】
上記画像形成に用いた記録媒体にはPR101（キヤノン（株）製）、画像形成装置には、図６〜図１０および図１２に示したような、インクジェット式の画像形成装置を用いた。
【０２１２】
ブラックインク
グリセリン                １０％
ジエチレングリコール      １０％
アセチレングリコールエチレンオキサイド付加物
（商品名：アセチレノールEH；川研ファインケミカル（株）製）
１％
フードブラック２            ３％
水                        ７６％
【０２１３】
画像評価は、各実施例および各比較例について上記７色のインクを用いた画像と、各実施例および各比較例について第三、第五および第六のインクを除いた４色のインクを用いた画像とを比較して、「鮮やかさ」と「滑らかさ」の観点で１０名の観察者にて目視評価した。評価基準としては、以下の通りに従って行った。
【０２１４】
「鮮やかさ」については、４色画像に比較して７色画像が「出力画像が鮮やかで、立体感や透明感が特に優れている。」と感じた人の人数に応じて評価基準を設定した。すなわち、「ＡＡ」は１０〜８人、「Ａ」は７〜５人、「Ｂ」は４人以下とした。
【０２１５】
また、「滑らかさ」については、４色画像に比較して７色画像が「色の変化が滑らかに表現されており、擬似輪郭や色トビがほとんど認識されない。」と感じた人の人数に応じて評価基準を設定した。すなわち、「ＡＡ」は１０〜８人、「Ａ」は７〜５人、「Ｂ」は４人以下とした。
上記評価の結果を表４に示す。
【０２１６】
【表４】
2005088581.tif 000029
【０２１７】
実施例１−１〜１−４では、フルカラー自然画１〜６はともにコントラスト、鮮やかさ、透明感に優れかつ擬似輪郭や色トビの少ない優れた画像が得られた。一方、比較例１−１、１−２ではいずれも、画像の鮮やかさに欠けるか、もしくは擬似輪郭や色トビが認められ、滑らかさに欠ける画像となった。
【０２１８】
（実施例２−１〜２−８および比較例２−１、２−２）
下記表５に記載の染料を表中の所定量添加し、以下に示す組成の成分を添加し総量が１００部になるように水を混合した後、十分に攪拌して溶解した。その後、ポアサイズ０．２μｍのミクロフィルター（富士フィルム製）にて加圧ろ過し、各種イエロー、マゼンタおよび第三のインクを調製した。
なお、インクＮｏ．２−１２および２−１３はそれぞれ、インクＮｏ．１−８および１−１２と同じ組成である。
【０２１９】
イエロー、マゼンタ、第三のインク組成
グリセリン                １０部
ジエチレングリコール      １０部
アセチレングリコールエチレンオキサイド付加物
（商品名：アセチレノールEH；川研ファインケミカル（株）社製）
１部
染料                    所定量部
水                          残部
（総量  １００部）
【０２２０】
【表５】
2005088581.tif 000030
【０２２１】
各実施例では、上記インクNo.のインクを用い、表６のように組み合わせたインクセットを用いた。
【０２２２】
【表６】
2005088581.tif 000031
【０２２３】
上記実施例のインクセット、記録媒体としてPR101（キヤノン（株）製）、および画像形成装置として、インクジェット式画像形成装置であるキヤノン（株）製PIXUS950i改造機を用いて画像を形成し、以下の評価を行った。画像のＬ＊、ａ＊、ｂ＊の測定には、Gretag Macbeth社製Spectrolinoを用いた。測定条件は、観測光源：D50、観測視野：２度、濃度：ANSI A、白色基準：Abs、フィルター：Noにて行った。
【０２２４】
各実施例では、上記インクセットのイエローインク、マゼンタインクおよび第三のインクのみでの、０〜１００％デューティまで段階的に階調を振ったいわゆるベタ印字を行った。また、同じイエローインクおよびマゼンタインクを任意の組み合わせで用いることにより、イエロー〜オレンジ〜レッド〜マゼンタの色相を持つ画像を形成した。これらの画像のＬ＊、ａ＊、ｂ＊を上記方法にて測定した。
【０２２５】
表７には、各インクの１００％デューティの記録でのＬ＊、ａ＊、ｂ＊および彩度（ｃ＊）、色相角（Ｈ゜）を示す。なお、彩度はｃ＊＝（ａ＊２＋ｂ＊２）１／２、色相角（Ｈ゜）は、Ｈ゜=ｔａｎ−１(ｂ＊/ａ＊)＋１８０゜(ａ＊＜０の場合)、又はＨ゜＝ｔａｎ−１（ｂ＊/ａ＊）＋３６０゜（ａ＊＞０の場合）により求められる。また、ここでの１００％デューティとは２４００ｄｐｉ×１２００ｄｐｉの解像度で全ての画素の構成エリア（例えば１つの画素はｍ×ｎのマスで構成されるパターンに対応し、この1画素内の各マスはエリアと定義する。この「エリア」はドットのオン・オフが定義される最小単位である）について１ドット付与した場合を示し、本実施例では１ドットあたり２．５ｎｇのインクを付与しているために、例えば１平方インチの単位面積あたりの付与量に換算すると７．２ｍｇとなる。
【０２２６】
【表７】
2005088581.tif 000032
【０２２７】
表７より、全ての実施例において第三のインクで形成された色の色相角が、イエローとマゼンタとの組み合わせにより形成された色の再現領域内にあることがわかる。
【０２２８】
図３１〜図３８は、イエローとマゼンタとの組み合わせにより形成された色の中から、第三のインクで表現された色が示す軌跡に一致する色相の色を選び出し、第三のインクの色と、イエローとマゼンタとの混色の色との彩度（ｃ＊）と明度（Ｌ＊）の関係を示す。
【０２２９】
実施例２−１〜実施例２−８に対応した図３１〜図３８より、いずれの実施例も同一色相、同一彩度において、第三のインクで表現された色の明度は、イエローとマゼンタの組み合わせで表現された色の明度より高いことがわかる。一方、比較例２−１および比較例２−２では、比較例１−１（図１７）および比較例１−２（図１８）と同様の関係になる。
【０２３０】
（実画評価）
次に、実施例２−１〜２−８および比較例２−１、２−２のインクセットに、下記のシアンおよびブラックインクを追加し、フルカラー自然画として、「１．夕焼けの景色」、「２.紅葉の景色」、および「３．人物」の３種類の画像を形成した。画像形成は、イエロー、マゼンタ、シアン、第三のインクおよびブラックのインクで形成される専用の画像ファイルを作成して行った。この際、画素データ内に第三のインクを使用する画像データを含む際に、同時にイエローインクおよびマゼンタインクを使用するデータを含む形態となるように画像ファイルを作成した。同様に、各実施例および比較例の第三のインクを除いたイエロー、マゼンタ、シアンおよびブラックの４色にて画像形成するための専用の画像ファイルを作成した。
【０２３１】
上記画像形成に用いた記録媒体にはPR101（キヤノン（株）製）、画像形成装置にはインクジェット式の画像形成装置であるキヤノン（株）製ピクサス950i改造機を用いた。実施例および比較例のインクは同改造機において、それぞれ、イエローインクタンクの搭載位置にイエローインクタンクを、マゼンタインクタンク搭載位置にマゼンタインクタンクを、シアンインクタンク搭載位置にシアンインクを、淡マゼンタインクタンク搭載位置に第三のインクタンクを、ブラックインクタンク搭載位置にブラックインクタンクを装着した。
【０２３２】
シアンインク
グリセリン                １０％
ジエチレングリコール      １０％
アセチレングリコールエチレンオキサイド付加物
（商品名：アセチレノールEH；川研ファインケミカル（株）社製）
１％
ダイレクトブルー１９９      ３％
水                        ７６％
ブラックインク
グリセリン                １０％
ジエチレングリコール      １０％
アセチレングリコールエチレンオキサイド付加物
（商品名：アセチレノールEH；川研ファインケミカル（株）社製）
１％
フードブラック２            ３％
水                        ７６％
【０２３３】
そして、実施例２−１〜２−８および比較例２−１、２−２の画像評価は上記出力画像３種を用い、それぞれの対となるインクセットの５色画像と４色画像とを比較して、「鮮やかさ」と「滑らかさ」の観点で１０名の観察者にて目視評価した。評価基準としては、以下の通りに従って行った。
【０２３４】
ここで、「鮮やかさ」については、４色画像に比較して５色画像が「出力画像が鮮やかで、立体感や透明感が特に優れている。」と感じた人の人数に応じて評価基準を設定した。すなわち、「ＡＡ」は１０〜８人、「Ａ」は７〜５人、「Ｂ」は４人以下とした。
【０２３５】
また、「滑らかさ」については、４色画像に比較して５色画像が「色の変化が滑らかに表現されており、擬似輪郭や色トビがほとんど認識されない。」と感じた人の人数に応じて評価基準を設定した。すなわち、「ＡＡ」は１０〜８人、「Ａ」は７〜５人、「Ｂ」は４人以下とした。
上記評価の結果を表８に示す。
【０２３６】
【表８】
2005088581.tif 000033
【０２３７】
実施例２−１〜２−８では、フルカラー自然画１〜３はともにコントラスト、鮮やかさ、透明感に優れかつ擬似輪郭や色トビの少ない優れた画像が得られた。とりわけ実施例２−１〜２−６では鮮やかさや滑らかさの点で優れた画像が得られた。一方、比較例２−１、２−２ではいずれも、画像の鮮やかさに欠けるか、若しくは擬似輪郭や色トビが認められ、滑らかさに欠ける画像となった。
【図面の簡単な説明】
【０２３８】
【図１】インクジェット記録装置およびポジティブフィルムのＧａｍｕｔをＣＩＥ−Ｌ＊ａ＊ｂ＊のａ＊ｂ＊平面上にプロットした図である。
【図２】（ａ）および（ｂ）は、図１のＧａｍｕｔデータの算出態様を説明するための図である。
【図３】本発明において基本的に採用されるインク色の色再現領域とポジフィルム画像の色再現領域との関係を模式的に示した図である。
【図４】本発明において基本的に採用されるインク色の選択ないし設計条件を説明するための明度と彩度との関係を模式的に示した図である。
【図５】本発明の一実施形態にかかるプリントシステムの構成を示すブロック図である。
【図６】本発明の実施形態における記録装置の斜視図である。
【図７】本発明の実施形態における記録装置の機構部の斜視図である。
【図８】本発明の実施形態における記録装置の断面図である。
【図９】本発明の実施形態で適用したヘッドカートリッジにインクタンクを装着する状態を示した斜視図である。
【図１０】本発明の実施形態で適用したヘッドカートリッジの分解斜視図である。
【図１１】本発明の実施形態で適用したヘッドカートリッジにおける記録素子基板を示す正面図である。
【図１２】本発明の実施形態で適用したヘッドカートリッジにおける記録素子基板を示す正面図である。
【図１３】実施例１−１においてイエローおよびマゼンタ、並びに第三のインクを用いた場合の、明度と彩度との関係を示した図である。
【図１４】実施例１−２においてイエローおよびマゼンタ、並びに第三のインクを用いた場合の、明度と彩度との関係を示した図である。
【図１５】実施例１−３においてイエローおよびマゼンタ、並びに第三のインクを用いた場合の、明度と彩度との関係を示した図である。
【図１６】実施例１−４においてイエローおよびマゼンタ、並びに第三のインクを用いた場合の、明度と彩度との関係を示した図である。
【図１７】比較例１−１においてイエローおよびマゼンタ、並びに第三のインクを用いた場合の、明度と彩度との関係を示した図である。
【図１８】比較例１−２においてイエローおよびマゼンタ、並びに第三のインクを用いた場合の、明度と彩度との関係を示した図である。
【図１９】実施例１−１においてイエローおよびシアン、並びに第五のインクを用いた場合の、明度と彩度との関係を示した図である。
【図２０】実施例１−２においてイエローおよびシアン、並びに第五のインクを用いた場合の、明度と彩度との関係を示した図である。
【図２１】実施例１−３においてイエローおよびシアン、並びに第五のインクを用いた場合の、明度と彩度との関係を示した図である。
【図２２】実施例１−４においてイエローおよびシアン、並びに第五のインクを用いた場合の、明度と彩度との関係を示した図である。
【図２３】比較例１−１においてイエローおよびシアン、並びに第五のインクを用いた場合の、明度と彩度との関係を示した図である。
【図２４】比較例１−２においてイエローおよびシアン、並びに第五のインクを用いた場合の、明度と彩度との関係を示した図である。
【図２５】実施例１−１においてマゼンタおよびシアン、並びに第六のインクを用いた場合の、明度と彩度との関係を示した図である。
【図２６】実施例１−２においてマゼンタおよびシアン、並びに第六のインクを用いた場合の、明度と彩度との関係を示した図である。
【図２７】実施例１−３においてマゼンタおよびシアン、並びに第六のインクを用いた場合の、明度と彩度との関係を示した図である。
【図２８】実施例１−４においてマゼンタおよびシアン、並びに第六のインクを用いた場合の、明度と彩度との関係を示した図である。
【図２９】比較例１−１においてマゼンタおよびシアン、並びに第六のインクを用いた場合の、明度と彩度との関係を示した図である。
【図３０】比較例１−２においてマゼンタおよびシアン、並びに第六のインクを用いた場合の、明度と彩度との関係を示した図である。
【図３１】実施例２−１においてイエローおよびマゼンタ、並びに第三のインクを用いた場合の、明度と彩度との関係を示した図である。
【図３２】実施例２−２においてイエローおよびマゼンタ、並びに第三のインクを用いた場合の、明度と彩度との関係を示した図である。
【図３３】実施例２−３においてイエローおよびマゼンタ、並びに第三のインクを用いた場合の、明度と彩度との関係を示した図である。
【図３４】実施例２−４においてイエローおよびマゼンタ、並びに第三のインクを用いた場合の、明度と彩度との関係を示した図である。
【図３５】実施例２−５においてイエローおよびマゼンタ、並びに第三のインクを用いた場合の、明度と彩度との関係を示した図である。
【図３６】実施例２−６においてイエローおよびマゼンタ、並びに第三のインクを用いた場合の、明度と彩度との関係を示した図である。
【図３７】実施例２−７においてイエローおよびマゼンタ、並びに第三のインクを用いた場合の、明度と彩度との関係を示した図である。
【図３８】実施例２−８においてイエローおよびマゼンタ、並びに第三のインクを用いた場合の、明度と彩度との関係を示した図である。
【符号の説明】
【０２３９】
Ｊ０００１    アプリケーション
Ｊ０００２    前段処理
Ｊ０００３    後段処理
Ｊ０００４    γ補正
Ｊ０００５    ハーフトーニング
Ｊ０００６    印刷データの作成処理
Ｊ０００７    ドット配置パターン化処理
Ｊ０００８    マスクデータ変換処理
Ｊ０００９    ヘッド駆動回路
Ｊ００１０    記録へッド
Ｍ２０４１    分離ローラ
Ｍ２０８０    給紙ローラ
Ｍ３０００    ピンチローラホルダ
Ｍ３０４０    プラテン
Ｍ３０６０    搬送ローラ
Ｍ３０７０    ピンチローラ
Ｍ３１１０    排紙ローラ
Ｍ３１２０    拍車  
Ｍ３１６０    排紙トレイ
Ｍ４０００    キャリッジ
Ｍ５０００    ポンプ
Ｍ５０１０    キャップ
Ｅ０００２    ＬＦモータ
Ｅ００１４    メイン基板
Ｈ１０００    ヘッドカートリッジ
Ｈ１００１    記録ヘッド
Ｈ１２００    第１のプレート
Ｈ１２０１    インク供給口
Ｈ１３００    電気配線基板
Ｈ１３０１    外部信号入力端子
Ｈ１４００    第２のプレート
Ｈ１５００    タンクホルダー
Ｈ１５０１    インク流路
Ｈ１６００    流路形成部材
Ｈ１７００    フィルター
Ｈ１８００    シールゴム
Ｈ１９００    インクタンク
Ｈ２０００、Ｈ２７００、Ｈ３１００    シアンノズル例
Ｈ２１００、Ｈ２８００、Ｈ３０００    マゼンタノズル列
Ｈ２２００、Ｈ２９００    イエローノズル列
Ｈ３２００    ライトシアンノズル列
Ｈ２３００、Ｈ３３００    ブラックノズル列
Ｈ２４００    第四のインクノズル列
Ｈ２５００    第五のインクノズル列
Ｈ２６００    第六のインクノズル列
Ｈ３４００    第三のノズル列
Ｈ３５００    ライトマゼンタノズル列
Ｈ３６００    第１の記録素子基板
Ｈ３６０１    第２の記録素子基板
【図１】
2005088581.tif 000034
【図２】
2005088581.tif 000035
【図３】
2005088581.tif 000036
【図４】
2005088581.tif 000037
【図５】
2005088581.tif 000038
【図６】
2005088581.tif 000039
【図７】
2005088581.tif 000040
【図８】
2005088581.tif 000041
【図９】
2005088581.tif 000042
【図１０】
2005088581.tif 000043
【図１１】
2005088581.tif 000044
【図１２】
2005088581.tif 000045
【図１３】
2005088581.tif 000046
【図１４】
2005088581.tif 000047
【図１５】
2005088581.tif 000048
【図１６】
2005088581.tif 000049
【図１７】
2005088581.tif 000050
【図１８】
2005088581.tif 000051
【図１９】
2005088581.tif 000052
【図２０】
2005088581.tif 000053
【図２１】
2005088581.tif 000054
【図２２】
2005088581.tif 000055
【図２３】
2005088581.tif 000056
【図２４】
2005088581.tif 000057
【図２５】
2005088581.tif 000058
【図２６】
2005088581.tif 000059
【図２７】
2005088581.tif 000060
【図２８】
2005088581.tif 000061
【図２９】
2005088581.tif 000062
【図３０】
2005088581.tif 000063
【図３１】
2005088581.tif 000064
【図３２】
2005088581.tif 000065
【図３３】
2005088581.tif 000066
【図３４】
2005088581.tif 000067
【図３５】
2005088581.tif 000068
【図３６】
2005088581.tif 000069
【図３７】
2005088581.tif 000070
【図３８】
2005088581.tif 000071